(57)【要約】  制御インタフェース、通信ネットワーク並びにプロセッサ及び主ディスプレー画面を有する主プレゼンテーション装置を備えており、主ディスプレー画面が場内の視聴者に見られるように場内に配置され、ユーザコマンドに応じてプロセッサがネットワークを介して主ディスプレー画面に表示の画像を送信するよう操作でき、従プレゼンテーション装置が場内の視聴者にネットワークを介して主プレゼンテーション装置によって従プレゼンテーション装置へ送信される画像を受信し表示することのできる従画面を有し、最初の画像が同時に表示されている間に新しい画像を表示するのに主プレゼンテーション装置が使用できるフリップチャートアセンブリに似た場内の視聴者に情報を表示する方法及びシステム。
2007535696.tif 000002
【特許請求の範囲】
【請求項５１】
通信ネットワークと、
複数のプレゼンテーション装置を備え、各プレゼンテーション装置が場内にいる視聴者に画像を表示するため配置され、少なくとも前記プレゼンテーション装置の一つがプロセッサ及びディスプレー画面を備える主装置であり、該プロセッサが該ディスプレー画面に表示された画像を前記ネットワークを介して前記プレゼンテーション装置の他の一つに送信することができ、その他の前記プレゼンテーション装置の各々が、前記ネットワークを介して前記主装置により前記その他の装置に送信される画像を受信し前記場内にいる視聴者に該画像を表示することができる、前記場内の視聴者に情報を表示するプレゼンテーションシステム。
【請求項５２】
前記その他のプレゼンテーション装置の各々が前記画像を表示するプレゼンテーション面を有し、前記ディスプレー画面及びプレゼンテーション面の各々が実質的に同じ寸法を有する請求項５１に記載のシステム。
【請求項５３】
前記ディスプレー画面及び前記プレゼンテーション装置の各々の高さ及び幅が、それぞれ２フィート及び２フィートより大きい請求項５２に記載のシステム。
【請求項５４】
前記ディスプレー画面及び前記プレゼンテーション面の各々が実質的に垂直方向を向いている請求項５２に記載のシステム。
【請求項５５】
画像が前記主装置から前記その他の装置の一つに送信される場合、該画像が特定の識別子と関連づけてメモリに記録される請求項５１に記載のシステム。
【請求項５６】
前記特定の識別子が特定の画像識別子である請求項５５に記載のシステム。
【請求項５７】
前記その他の装置の一つが前記主装置によって送信される画像を表示する場合、前記特定の画像識別子を前記表示される画像と関連づけする形で該特定の画像識別子が示される請求項５６に記載のシステム。
【請求項５８】
前記表示される画像とともに前記識別子を表示することで該識別子が示される請求項５７に記載のシステム。
【請求項５９】
前記記録された画像と関連づけされた前記特定の画像識別子を特定することで、前記主装置により該画像を再アクセス及び再表示することができる請求項５５に記載のシステム。
【請求項６０】
ユーザコマンドが前記画像を送信する前記プレゼンテーション装置の特定の一つを指定し、前記装置識別子が、前記主画面の前記画像を送信する前記その他のプレゼンテーション装置を示す特定のプレゼンテーション装置識別子である請求項５５に記載のシステム。
【請求項６１】
前記その他の装置の各々が特定の装置識別子と関連づけられ、システムユーザが見ることのできる形で該装置識別子が前記その他の装置の各々に表示される請求項６０に記載のシステム。
【請求項６２】
前記装置識別子が前記その他の装置の各々に表示される請求項６１に記載のシステム。
【請求項６３】
前記プロセッサが、ユーザコマンドに応じて、前記ディスプレー画面に表示された画像を前記ネットワークを介して前記プレゼンテーション装置の他の一つに送信するように働く請求項４９に記載のシステム。
【請求項６４】
場内の視聴者がプレゼンテーション装置に表示された画像を見ることができるように該プレゼンテーション装置の各々が配置された前記場内の複数のプレゼンテーション装置を使用する方法であって、
制御インタフェースを設けるステップと、
表示される画像が装置個別の画像である前記プレゼンテーション装置のそれぞれに画像を表示するステップと、
前記表示された画像を記録する指示を検出するため前記制御インタフェースをモニタするステップと、
前記表示された画像を記録する指示が受信されると、プレゼンテーション装置ごとに表示された前記装置個別の画像を装置識別子と関連づけ画像装置セットを形成するステップと、
前記装置の全ての前記画像装置セットを会議画像セットとして記録するステップと、
を含む表示された画像を管理する方法。
【請求項６５】
前記表示された画像を記録する指示が受信されると、前記プレゼンテーション装置から前記装置個別の画像を消去するステップを更に含む請求項６４に記載の方法。
【請求項６６】
その後、レジュームコマンドを検知するため前記制御インタフェースをモニタし、レジュームコマンドが受信されると、前記記録された会議画像セットにアクセスし、各画像装置セット中の前記装置個別の画像を関連する前記画像装置セットに示された前記装置により表示するステップを更に含む請求項６４に記載の方法。
【請求項６７】
前記表示された画像を記録する指示が受信されると、前記会議画像セットを記録するより前に、会議識別子を該会議画像セットに割り当て、該会議識別子とともに該会議画像セットを記録するステップを更に含む請求項６４に記載の方法。
【請求項６８】
前記割り当てるステップが、ランダム識別子を前記会議画像セットに割り当て、該ランダム識別子を前記プレゼンテーション装置の一つに表示するステップを含む請求項６７に記載の方法。
【請求項６９】
前記割り当てるステップが、会議識別子をシステムユーザから受信するステップを含む請求項６７に記載の方法。
【請求項７０】
その後、レジュームコマンドを検知するため前記制御インタフェースをモニタし、レジュームコマンドが受信されると、会議識別子をモニタし、会議識別子が受信されると、前記受信された会議識別子と関連づけた前記記録された会議画像セットにアクセスし、前記会議画像セット中の各画像装置セットの前記装置個別の画像を関連する前記画像装置セットに示された前記装置によって表示するステップを更に含む請求項６７に記載の方法。
【請求項７１】
主プレゼンテーション装置とともに、少なくとも第１の従プレゼンテーション装置、通信ネットワーク及び制御インタフェースを用いた方法であって、前記主装置がプロセッサ及び主画面を備え、前記従装置が従画面を備えており、
場内の視聴者が見られるように、該場内に前記主画面を配置するステップと、
前記従画面によって表示される画像が前記場内の視聴者に見られるように該場内に前記従画面を配置するステップと、
前記主画面に表示された画像を前記従画面に表示する指示を検知するため前記制御インタフェースをモニタするステップと、
前記主画面に表示された前記画像を前記従画面に表示する指示を受信すると、前記通信ネットワークを介して前記主画面に表示された前記画像を前記従装置に表示するため送信するステップと、
を含む場内の視聴者に画像を表示する方法。
【請求項７２】
前記従装置への送信の後、該送信した画像を前記従画面に表示するステップを更に含む請求項７１に記載の方法。
【請求項７３】
前記主画面に表示された前記画像を前記従画面に表示する指示を受信した後、前記主画面上の画像を消去するステップを更に含む請求項７１に記載の方法。
【請求項７４】
さらに少なくとも第２の従画面を備える第２の従プレゼンテーション装置とともに使用する方法であって、前記制御インタフェースが、前記主画面に表示された画像を送信する先に前記従画面の特定の一つを指定するのに使用でき、前記方法が、前記画像を前記主装置から送信する指示を受信すると、前記従装置の何れに前記主画像を送信するか決定するステップを更に含む請求項７２に記載の方法。
【請求項７５】
前記制御インタフェースが前記主画面に表示された画像を拡大するのに使用でき、拡大作業を検知するため前記制御インタフェースをモニタし、拡大作業が指示されるとそれに応じて前記主画像を拡大するステップを更に含む請求項７１に記載の方法。
【請求項７６】
前記主画面に表示された画像を前記従画面に表示する指示のあと、前記画像を特定の識別子と関連づけてメモリに記録するステップを更に含む請求項７１に記載の方法。
【請求項７７】
前記特定の識別子が特定の画像識別子である請求項７６に記載の方法。
【請求項７８】
前記従装置に送信の後、前記従画面に前記送信された画像を表示するステップを更に含み、前記従装置が前記主装置により送信された画像を表示する際、前記画像識別子を前記表示された画像と関連づける形で前記従装置が前記特定の画像識別子を示すステップを更に含む請求項７７に記載の方法。
【請求項７９】
前記識別子を前記表示された画像と共に表示することで前記識別子が示される請求項７８に記載の方法。
【請求項８０】
画像が記録された後、前記特定の識別子と関連づけされた前記画像に再アクセスして主画面に再表示する指示を検知するため前記インタフェースをモニタし、再表示の指示が受信されると、前記主画面に前記画像を表示するステップを更に含む請求項７６に記載の方法。
【請求項８１】
前記従画面に表示された画像が前記主画面に再表示されると、該画像を前記従装置から消去する請求項８０に記載の方法。
【請求項８２】
前記主画面に表示の画像を前記従画面に表示する指示を検知するため前記インタフェースをモニタする前記ステップが、前記画像を送信する前記従装置の特定の一つを指定するコマンドをモニタするステップを含み、前記特定の識別子が前記主画面の前記画像を送信する前記従装置を示す特定のプレゼンテーション装置識別子である請求項７６に記載の方法。
【請求項８３】
前記従装置の各々が特定の装置識別子と関連づけられ、前記従装置の各々がその識別子をシステムユーザが見ることのできる形で表示する請求項８２に記載のシステム。
【請求項８４】
前記従装置の各々と関連づけした前記装置識別子がその関連づけした従装置上に表示される請求項８３に記載のシステム。
【請求項８５】
後で使用するために、前記主画面及び前記従画面に現在表示の画像を記録するよう指示するストアコマンドを検知するため前記インタフェースをモニタし、ストアコマンドが受信されると、前記主画面及び前記従画面に現在表示の前記画像を特定し、該特定した画像を該画像を表示している前記装置と関連づけ、該関連づけた画像及び装置を画像装置セットとして記録するステップを更に含む請求項７１に記載の方法。
【請求項８６】
前記ストアコマンドが受信されると、前記主画面及び前記従画面上の前記画像の全てを消去するステップを含む請求項８５に記載の方法。
【請求項８７】
以前に記録した画像を再表示するよう指示するレジュームコマンドを検知するため前記インタフェースをモニタし、レジュームコマンドが受信されると、前記画像装置セットにアクセスし、該画像装置セットで特定した通り、前記関連のある装置に前記アクセスした画像を表示するステップを更に含む請求項８６に記載の方法。
【請求項８８】
制御インタフェースと、
平面パネルディスプレー画面及びプロセッサを備えており、該画面が主領域を有する主プレゼンテーション装置と、
従領域及び該従領域に画像を投写する第１のプロジェクターを備える従プレゼンテーションアセンブリと、を備え、
前記主装置のプロセッサが前記制御インタフェースと接続可能でそこからコマンドを受信し、該プロセッサが前記主領域から前記従領域へ画像を切り替える前記インタフェースからのコマンドをモニタするようプログラムされ、画像を切り替えるコマンドが受信されると、前記主領域の前記画像を前記従領域に表示させる場内の視聴者に情報を表示するプレゼンテーションシステム。
【請求項８９】
前記従領域が少なくとも二つの別個の従領域に分割され、前記プロジェクターが前記第１と第２の従領域の各々に別個の画像を投写する請求項８８に記載のシステム。
【請求項９０】
前記インタフェースが前記第１の従領域と第２の従領域の何れかへの切り替えを進める制御手段を含み、対応する制御手段が選択されると、前記プロセッサが前記選択された前記第１の従領域と第２の従領域の一方へ切り替える請求項８９に記載のシステム。
【請求項９１】
前記インタフェースが画像を前記第１の従領域と第２の従領域の何れかから前記主領域へ戻す読み出しを進める制御手段を含み、対応する制御手段が選択されると、前記プロセッサが前記選択された前記第１の従装置と第２の従装置の一方から前記主領域に画像を表示する請求項９０に記載のシステム。
【請求項９２】
少なくとも第２のプロジェクターを更に備え、前記第１のプロジェクターが前記従領域の第１部分に画像を投写し、前記第２のプロジェクターが前記従領域の第２部分に画像を投写し、前記プロセッサが画像を前記主領域から前記従領域の前記第１部分と第２部分のどちらかへ切り替える前記インタフェースからのコマンドをモニタするようにプログラムされ、画像を前記第１と第２部分の一方へ切り替えるコマンドが受信されると、前記主領域の前記画像を前記従領域の第１部分と第２部分の一方に表示させる請求項８８に記載のシステム。
【請求項９３】
前記従領域の第１部分が第１と第２の別個の従領域に分割され、前記従領域の第２部分が第３と第４の別個の従領域に分割され、前記第１のプロジェクターと第２のプロジェクターが、それぞれ前記第１と第２の従領域と、前記第３と第４の従領域に別個の画像を投写する請求項９２に記載のシステム。
【請求項９４】
前記インタフェースが前記第１、第２、第３及び第４の従領域の何れか一つに切り替えを進める制御手段を含み、対応する制御手段が選択されると、前記プロセッサが前記選択された前記第１、第２、第３及び第４の従領域の一つへ切り替える請求項９３に記載のシステム。
【請求項９５】
前記インタフェースが前記主画面の表面に近接して行う操作を検知するセンサを備える請求項８８に記載のシステム。
【請求項９６】
前記インタフェースが前記主ディスプレー画面に表示されたアイコンを備え、前記センサがアイコンの選択操作をモニタする請求項９５に記載のシステム。
【請求項９７】
前記アイコンが少なくとも一つの従領域への切り替えアイコンを含む請求項９６に記載のシステム。
【請求項９８】
前記アイコンが少なくとも一つの従領域からの読み出しアイコンを含む請求項９６に記載のシステム。
【請求項９９】
各従領域が前記主領域の寸法と同じ寸法を有している請求項８９に記載のシステム。
【請求項１００】
プレゼンターが前記主ディスプレー画面に表示の画像を拡大できる拡大インタフェースを更に備えている請求項８８に記載のシステム。
【請求項１０１】
前記制御インタフェースが前記主ディスプレー画面と分離されている請求項８８に記載のシステム。
【請求項１０２】
前記制御インタフェースが携帯型装置であり、該制御インタフェースが無線通信によって前記主装置と通信する請求項１０１に記載のシステム。
【請求項１０３】
前記制御インタフェースがディスプレーを備え、主ディスプレー画面に表示された情報が前記制御インタフェースのディスプレーに表示される前記情報と同一である請求項１０２に記載のシステム。
【請求項１０４】
前記制御インタフェース上の情報に対する編集を前記視聴者が前記主ディスプレー画面によって速やかに見ることができる請求項１０３に記載のシステム。
【請求項１０５】
前記プロセッサが、前記従領域の画像を前記主画面に読み出す前記インタフェースからのコマンドをモニタするように更にプログラムされ、画像読み出しコマンドが受信されると、前記画像を前記主画面に表示する請求項８８に記載のシステム。
【請求項１０６】
前記プロセッサが、画像を読み出すコマンドを受信すると、前記従領域の前記画像を消去するよう更にプログラムされている請求項１０５に記載のシステム。
【請求項１０７】
画像が従領域に表示されると、該画像が前記従領域と関連づけられ画像従領域セットとしてメモリに記録される請求項８８に記載のシステム。
【請求項１０８】
画像を記録するメモリを更に備える請求項１０７に記載のシステム。
【請求項１１５】
主装置及びその他の装置を含む複数のプレゼンテーション装置を会議場に設けるステップと、
該会議場内にある前記その他の装置を電気的に特定するステップと、
前記その他の装置の一部を従装置として特定するよう設定インタフェースを操作可能とするステップと、
前記一部を従装置と特定する前記設定インタフェースによる入力を受信するステップと、
前記主装置の画像を前記選択した一部の前記従装置の各々に送信するよう制御インタフェースを操作可能とするステップと、
を備える共同作業のための電子プレゼンテーション装置を設定する方法。
【請求項１１６】
主装置及びその他の装置を含む複数のプレゼンテーション装置を設ける前記ステップが、複数の装置を設けるステップと、前記主装置を特定するよう少なくとも一つの初期インタフェースを操作可能とするステップと、前記複数の中から前記主装置を特定する前記初期インタフェースによる指示を受信するステップとを含む請求項１１５に記載の方法。
【請求項１１７】
前記プレゼンテーション装置の各々がディスプレー画面を有し、前記初期インタフェースを操作可能とするステップが、前記装置の少なくとも一つの画面によって前記装置が前記主装置であると指定するよう選択できる選択可能なアイコンを設けるステップを含む請求項１１６に記載の方法。
【請求項１１８】
プレゼンテーション装置を設ける前記ステップが、各々が無線送信機を有する電子プレゼンテーション装置を設けるステップを含み、前記会議場内の前記その他の装置を特定する前記ステップが、該会議場内の前記その他の装置に特定の識別子を前記主装置へ送信させるステップを含む請求項１１５に記載の方法。
【請求項１１９】
前記その他の装置に送信させる前記ステップが、前記主装置から前記その他の装置にポーリング信号を送信し、前記その他の装置に前記特定の識別子を前記主装置へ送信させるステップを含む請求項１１８に記載の方法。
【請求項１２０】
少なくとも前記主装置がディスプレー画面を備え、前記その他の装置の一部を従装置として特定するよう設定インタフェースを操作可能とする前記ステップが、前記主装置のディスプレー画面によって前記その他の装置ごとに別個に選択可能なアイコンを表示するステップと、前記選択された一部の従装置をモニタするステップを含む請求項１１５に記載の方法。
【請求項１２１】
制御インタフェースを操作可能とする前記ステップが、前記選択された従装置の各々に対する少なくとも一つの移動ツールを機能可能とするステップを含み、前記従装置の一つに対応する移動ツールが選択されると、前記主装置に表示の前記画像が前記対応する従装置に送信され表示される請求項１１５に記載の方法。
【請求項１２２】
前記主装置がディスプレー画面を備え、前記初期インタフェース、前記設定インタフェース、前記制御インタフェースの各々が前記主装置に設けられる請求項１１６に記載の方法。
【請求項１２３】
前記その他の装置を特定する前記ステップが、前記その他の装置に特定情報を送信させ前記主装置へ戻すポーリング信号を前記主装置から送信するステップを含み、設定インタフェースを設ける前記ステップが前記主ディスプレー画面により前記その他の装置の各々を一意的に特定するステップを含む請求項１２２に記載の方法。
【請求項１２４】
前記装置の各々がディスプレー画面を備え、前記設定インタフェースを操作可能とする前記ステップが、前記その他の装置の各々と関連のある特定の識別子を表示するステップを含み、前記方法が更に、前記その他の装置の各々に前記その他の装置のディスプレー画面によって前記関連のある特定の識別子を表示させるステップを含む請求項１１５に記載の方法。
【請求項１２５】
前記装置の各々がディスプレー画面を備え、前記制御インタフェースを操作可能とする前記ステップが、前記選択された装置の各々と関連のある特定の識別子を表示するステップを含み、前記方法が更に、前記選択された装置の各々にその関連のある特定の識別子をそのディスプレー画面によって表示させるステップを含む請求項１１５に記載の方法。
【請求項１２６】
前記主装置が前記制御インタフェースを備え、前記特定の識別子が前記主装置のディスプレー画面に表示され、画像を該主装置のディスプレー画面から前記特定の識別子と関連のある前記従装置のディスプレー画面に送信するよう選択可能である請求項１２５に記載の方法。
【請求項１２７】
通信ネットワークと、
制御インタフェースと、
プロセッサ及び場内の視聴者が見られるよう該場内に配置された主画面を備える主装置と、
前記通信ネットワークを介して前記主装置により送信された画像を前記場内の視聴者のため受信し表示することのできる第１の従画面を備える少なくとも第１の従装置と、
前記通信ネットワークを介して前記主画面に表示された画像を前記制御インタフェースによるユーザコマンドに基づき前記第１の従装置に送信することのできるプロセッサと、
を備える前記場内の視聴者に情報を表示するプレゼンテーションシステム。
【請求項１２８】
ネットワークを介し前記プロセッサによって送信された画像を、前記場内の視聴者のため受信し表示することのできる第２の従画面を有する少なくとも第２の従装置を更に備える請求項１２７に記載のシステム。
【請求項１２９】
前記制御インタフェースが、前記主画面に表示された画像をいつ前記従装置の一つに送信するか指示することができ、更に、前記従装置の何れに前記画像を送信するかを指示する請求項１２８に記載のシステム。
【請求項１３０】
前記制御インタフェースが、前記従装置の何れに前記主画面に表示の画像を送信するかを指示する、システムユーザによって選択可能な少なくとも二つのボタンを有する請求項１２９に記載のシステム。
【請求項１３１】
画像を従装置に送信する指示が受信された後、前記プロセッサが前記送信画像を前記主画面から消去する請求項１３０に記載のシステム。
【請求項１３２】
プレゼンターが主画面に表示された画像を拡大できる拡大インタフェースを更に備える請求項１２７に記載のシステム。
【請求項１３３】
前記拡大インタフェースが、システムユーザがいつ前記主画面と情報のやり取りをする作業を実行するか感知し、対応する作業を実行する請求項１３２に記載のシステム。
【請求項１３４】
画像が前記従装置に送信されると、前記プロセッサが前記主画面から前記画像を消去する請求項１２７に記載のシステム。
【請求項１３５】
前記主装置が前記制御インタフェース及び前記プロセッサを備える請求項１２７に記載のシステム。
【請求項１３６】
前記制御インタフェース及びプロセッサが前記主装置から分離されている請求項１２７に記載のシステム。
【請求項１３７】
前記制御インタフェースが前記プロセッサを有する携帯型装置であり、前記制御インタフェースが無線通信によって前記主装置と通信する請求項１３６に記載のシステム。
【請求項１３８】
前記制御インタフェースがディスプレーを有し、前記主画面に表示される情報が少なくとも前記制御インタフェースのディスプレーの一部に表示される情報と同一である請求項１３７に記載のシステム。
【請求項１３９】
前記制御インタフェース上の情報に対する編集を前記視聴者が前記主画面によって速やかに見ることができる請求項１３８に記載のシステム。
【請求項１４０】
前記通信ネットワークが無線通信システムを備える請求項１２７に記載のシステム。
【請求項１４１】
前記制御インタフェースが従画面に表示の画像をいつ前記主画面に表示するかを指示することができ、そのような指示が受信されると、前記プロセッサが前記従画面に表示された前記画像を前記主画面に表示する請求項１２７に記載のシステム。
【請求項１４２】
画像が前記主装置から従装置へ送信されるとき、該画像が従装置識別子と関連づけられ、画像装置セットとしてメモリに記録される請求項１４１に記載のシステム。
【請求項１４３】
従画面に表示の画像を前記主画面に表示させる前記指示により、前記主画面に表示されるべき前記画像を表示する前記特定の従装置の前記識別子が指定され、該指示が受信されると、前記プロセッサが前記指示により指定された前記従装置を用いて前記主画面に表示すべき特定の画像装置セットの前記画像にアクセスする請求項１４２に記載のシステム。
【請求項１４４】
制御インタフェースと、
プロセッサ及びディスプレー画面を備えるプレゼンテーション装置と、を備え、
該ディスプレー画面が主プレゼンテーション領域及び該主プレゼンテーション領域から分離された少なくとも第１の従プレゼンテーション領域を有し、前記プロセッサが前記インタフェースと接続して該インタフェースからコマンドを受信でき、前記プロセッサが画像を前記主プレゼンテーション領域から前記従プレゼンテーション領域へ切り替える前記インタフェースからのコマンドをモニタするようにプログラムされ、画像を切り替えるコマンドが受信されると、前記主プレゼンテーション領域の前記画像を消去して前記従プレゼンテーション領域に前記画像を表示する、前記場内の視聴者に情報を表示するプレゼンテーションシステム。
【請求項１４５】
前記ディスプレー画面が平面パネルディスプレー画面である請求項１４４に記載のシステム。
【請求項１４６】
前記ディスプレー画面がプロジェクター画面であり、前記プレゼンテーション装置が更にプロジェクターを備える請求項１４４記載のシステム。
【請求項１４７】
第１場内の第１の視聴者が見られるように該第１場内に配置された第１の主ディスプレー画面を有する第１の主プレゼンテーション装置と、
前記第１場内の視聴者に画像を表示することのできる第１の従画面を有する少なくとも第１の従プレゼンテーション装置と、
制御インタフェースと、
を含む第１のサブシステム、及び、
第２場内の第２の視聴者が見られるように該第２場内に配置された第２の主ディスプレー画面を有する第２の主プレゼンテーション装置と、
前記第２場内の視聴者に画像を表示することのできる第２の従画面を有する少なくとも第２の従プレゼンテーション装置と、
少なくとも一つのプロセッサと、
該プロセッサに前記第１の主プレゼンテーション装置及び前記第１の従プレゼンテーション装置に表示される画像を処理させることのできるインタフェースと、
前記プロセッサ、前記第１及び第２の主プレゼンテーション装置、前記第１及び第２の従プレゼンテーション装置、及び前記インタフェースと接続されるネットワークと、
を含む第２のサブシステムを備え、
前記プロセッサが前記第１の主プレゼンテーション装置の画像及び第１の従プレゼンテーション装置の画像を、それぞれ前記第２の主プレゼンテーション装置及び第２の従プレゼンテーション装置に再現するようプログラムされる第１と第２の異なる場内にいる第１と第２の視聴者に情報を表示するプレゼンテーションシステム。
【請求項１４８】
前記プロセッサが前記第１の主プレゼンテーション装置の画像及び前記第１の従プレゼンテーション装置の画像を、実質的にリアルタイムで前記第２の主プレゼンテーション装置及び前記第２の従プレゼンテーション装置に再現するようプログラムされる請求項１４７に記載のシステム。
【請求項１４９】
前記インタフェースが第１のインタフェースであり、前記システムが第２のインタフェースを更に含み、該第２のインタフェースが、前記プロセッサに前記第２の主プレゼンテーション装置及び前記第２の従プレゼンテーション装置に表示の前記画像を処理させ、更に、前記第２の主プレゼンテーション装置の画像及び前記第２の従プレゼンテーション装置の画像を、それぞれ前記第１の主プレゼンテーション装置及び第１の従プレゼンテーション装置に再現するようプログラムされる請求項１４７に記載のシステム。
【請求項１５０】
画像の処理が、異なる画像を表示すること及び表示画像を変えることの少なくとも一方を含む請求項１４７に記載のシステム。
【請求項１５１】
前記第１のサブシステムが更に少なくとも第１−２の従プレゼンテーション装置を備え、前記第２のサブシステムが更に少なくとも第２−２の従プレゼンテーション装置を備え、前記インタフェースが前記プロセッサに、前記第１のサブシステムの前記第１の主プレゼンテーション装置並びに前記第１及び第１−２の従プレゼンテーション装置に表示された前記画像を処理させ、更に、前記第１のサブシステムの前記第１の主プレゼンテーション装置の画像並びに前記第１及び第１−２の従プレゼンテーション装置の画像を、それぞれ前記第２サブシステムの前記第２の主プレゼンテーション装置並びに前記第２及び第２−２の従プレゼンテーション装置に再現させるようにできる請求項１４７に記載のシステム。
【請求項１５２】
前記インタフェースが、前記第１の主プレゼンテーション装置から前記第１のサブシステムの前記第１と第１−２の従プレゼンテーション装置の何れかに画像を切り替えるように操作でき、それにより、前記プロセッサに前記第２の主プレゼンテーション装置から前記第２のサブシステムの前記第２及び第２−２の従プレゼンテーション装置の対応する一方に画像を同じように切り替えさせる請求項１５１に記載のシステム。
【請求項１５３】
前記ネットワークの少なくとも一部が無線である請求項１４７に記載のシステム。
【請求項１５４】
幅寸法より高さ寸法の方が大きいディスプレー画面を有し、それぞれ高さ寸法が垂直及び水平の方向である縦長方向と横長方向の間で回転するよう取り付けられた主プレゼンテーション装置と、
従プレゼンテーション領域、及び縦長形式の画像では幅寸法より高さ寸法が大きく、横長形式の画像では高さ寸法より幅寸法が大きい縦長と横長の何れかの形式で画像を表示できる従画面を有する従プレゼンテーション装置と、
前記主プレゼンテーション装置と前記従プレゼンテーション領域の間で画像の移動を操作できるインタフェースと、を備え、
前記主プレゼンテーション装置が前記縦長方向にある場合は前記従画面が前記縦長形式で画像を表示し、前記主プレゼンテーション装置が横長方向にある場合は前記従画面が前記横長形式で画像を表示する情報を表示する装置。
【請求項１５５】
前記従画面が、前記縦長形式と横長形式で、異なる数の画像を同時に表示する請求項１５４に記載の装置。
【請求項１５６】
前記従装置が前記縦長形式の場合には前記従プレゼンテーション領域に少なくとも２つの隣接する画像を同時に表示し、前記横長形式の場合には前記従プレゼンテーション領域に１つの画像を表示する請求項１５５に記載の装置。
【請求項１５７】
場内の視聴者が見られるように該場内に配置された主ディスプレー画面を有する主プレゼンテーション装置と、
前記場内の視聴者に画像を表示することのできる第１の従画面を有する少なくとも第１の従プレゼンテーション装置と、
少なくとも一つのプロセッサと、
該プロセッサに前記主ディスプレー画面に表示された画像を前記従画面に送信させるように操作できるインタフェースと、
前記プロセッサ、前記主プレゼンテーション装置、前記第１の従プレゼンテーション装置及び前記インタフェースに接続されるネットワークと、を備え、
前記従プレゼンテーション装置が前記プロセッサから受信された画像を表示する前記場内にいる視聴者に情報を表示するプレゼンテーションシステム。
【請求項１５８】
前記プロセッサが前記主プレゼンテーション装置と前記従プレゼンテーション装置のそれぞれから分離されている請求項１５７に記載のシステム。
【請求項１５９】
前記ネットワークの少なくとも一部が無線である請求項１５７に記載のシステム。
【発明の詳細な説明】
【技術分野】
【０００１】
本発明の分野は情報プレゼンテーションシステムに関し、より詳細には、共同作業の形で動的に編集することのできる従来の紙形式のフリップチャートと同様の形式で情報が表示される会議室内などの視聴者に双方向性の情報をプレゼンできるプレゼンテーションシステムである。
【背景技術】
【０００２】
会議形式の環境内の人々が効率的に情報を共有したり交換したりするのに役立つ様々なツールが開発されている。例えば、広く使用されているツールとしては、会議室や教室などにいる視聴者に情報を様々な形で表示できる黒板、書いたり消したりできるホワイトボード（例えば、乾消し又は乾拭き）などがある。ホワイトボードや黒板の一つの利点は、情報をその都度変更して現時点での考えを示すため、そこに表示した情報を修正又は追加でき、それによって共同作業をうまく進めることにある。以下で、ホワイトボードやその他のツールは、一人だけのプレゼンでも共同作業でも様々な形態の活動で使用できるが、ここでの説明を簡略化するため、他に示さなければ、情報を共有するあらゆるタイプの活動を通常「共同作業」とする。
【０００３】
書き換え自在ボードは特定の共同作業には向いているものの、一般的にいくつかの欠点を有する。このため、プレゼンテーション面を消す必要があり、現在そこに表示の情報が消されると、ほとんどの場合、その消去された情報を視聴者の前に表示し続ける手段はなく、その消去された情報および新たに表示する情報を同時に表示することができない。また、書き換え自在ボードを使用する場合には、ほとんどの場合、消去された情報を後でプレゼンするために保存しておく手段がない。さらに、多くの場合、書き換え自在ボード（例えば、チョークボード又は大きなホワイトボード）は持ち運びできない（例えば、壁に取り付けられている）か、搬送が困難である（例えば、ある施設内を移動するため車輪が取り付けられているが、その大きさのために施設外の別の施設に移動されるのはほとんどまれである）。
【０００４】
従来の書き換え自在ボードのいくつかの欠点を解消したもう一つの一般に使用されている共同作業ツールには紙タイプのフリップチャートがある。典型的フリップチャートは、一般にイーゼルなどに取り付けられ、上端に沿ってくくりつけられる広い紙パッドのようなものである。このイーゼルは通常部屋の正面に置かれ、そこで共同作業を行うことができる。フリップチャートでは、考えを展開する際に、パッドのトップシートに情報が書き込まれる。新しい考えを展開したい場合には、書き込んだ情報を含むトップシートをパッド上端に沿って引き剥がして切り取るか、パッドのトップをめくり（それ故このラベルを「フリップチャート」と呼ぶ）、新しくきれいなトップシートを提示して、そこに追加情報を書き込むことができる。
【０００５】
シートに情報が書き込まれた後にパッドからシートを引き剥がす場合で、新しくきれいなトップシートに書き込む情報が剥がされたシートの情報と関係がある場合には、部屋の正面に、この剥がされたシートを壁に貼り付けるか、このフリップチャートの隣に通常垂直に支持する構造体に貼り付け、トップシートと剥がされたシートの両方の情報を視聴者が同時に見ることができるようにプレゼンテーションが行われる。たいてい、シートはテープの切れ端か画鋲で貼り付けられる。たいていの場合、フリップチャートや対応するイーゼルは持ち運び可能である。
【０００６】
このように、フリップチャートは持ち運びができる利点があり、視聴者が見ている中でシートを剥がしたり貼り付けたりすることで大量の情報を提示するのに使える。また、必要であれば、共有情報を保存して後で利用し易いようにフリップチャートをホルダー等に保持することができる。
【０００７】
フリップチャートにおける主な欠点の一つは、めくる作業又は紙を引き剥がす作業および貼り付ける作業が目に付きかつ音がして（即ち、紙をめくったり引き剥がしたりする行為はうるさい）視聴者の気を散らすことである。このことは、情報のプレゼンター自身が情報のプレゼン中にシートをめくり、剥がし、および／又は貼り付けなければならず、共同作業の最中に該プレゼンが中断することとなる場合にはなおさらである。
【０００８】
その上、プレゼンターが共同作業中の中断を短くしようと素早くシートを貼り付ける場合には、しばしばシートの端が位置ずれし、並びに／若しくは皺、すり切れ、および／又は少なくとも部分的に丸まり、結局、プレゼンテーション／コラボレーションの有効性がかなり低い締まりのないプレゼンとなってしまう。
【０００９】
さらに、ほとんどの場合、フリップチャートシートに情報を書き込むのに消すことができないペンが使用され、シートに情報を書き加えることはできるものの、一度書き加えたシートから情報を消すことは通常できない。従って、フリップチャートのユーザが現状のシートに示している情報の一部のみ有するシートを提示したい場合には、通常、所望の情報のみを含み前述のその他の情報は含まない新たなシートを作らなければならない。
【００１０】
さらに、フリップチャートシート（例えば、イーゼルから剥がされ壁に取り付けられたシート）には、貼り付けられている間、情報を追加することができるが、しばしば貼り付けたシートの裏側の壁のトポロジーは、情報を利用する間そのシートを支えるのに適していない（即ち、壁表面が傾斜している場合もある）。従って、貼り付けたシートに情報を追加したい場合には、しばしばそのシートを支持壁から取外し、情報をイーゼルに再度取り付け、その後で情報を追加しなければならい。そしてその後、そのシートはイーゼルからの２度目の再取外し、及び壁への再貼り付けをしなければならない。このシートの引き剥がし作業や最初の貼り付け作業のような入れ替え作業は気を散らし、また時間の無駄である。
【００１１】
一般的なフリップチャートのさらにもう一つの問題は、共同作業中に使用されるシートを後で参照するため取っておくことができるが、一般的なチャートシートは比較的大きく（例えば、３×５フィート）、そのため、そのシートを保管するのに広い保管場所が必要となるか、狭い保管場所（例えば、ファイル用引き出し）に収納するためシートを折り畳まなければならないことである。保管のためにシートが折り畳まれる場合でも、依然としてそのシートはあとで参照するため利用できるし、あとで視聴者に見せるために再度貼り付けできるが、その折り目によってあとのプレゼンの有効性はしばしば減じられる。
【００１２】
一般的なフリップチャートの更にもう一つの問題は、共同作業に参加している人々が秘密情報であると見なす情報がしばしば共同作業によって生まれることである。ここで、共同作業が何らかの理由から中断されると、理想的には、貼り付けられたフリップチャートは、その作業場所の近辺の人々からその情報を秘密に保持するため、何らかの方法で大衆の視界から遮断もしくは離される。このことは、共同作業が数時間、数日又は実に数週間もの間中断される場合にはなおさらである。ここで、貼り付けられたシートが支持構造体から取外され、会合が再開されるまで収納される場合、会合が再開される際には、その収納されたシートは会合の参加者達が思考の脈絡を再認識するのを促すため、その会合が中断されたときのシートの状態と同じ関係の配列で再度貼り付けるのが理想的である。中断の間整理してシートを保管すること及びそのシートを以前の配列に再度貼り付けることは退屈かつ時間の浪費である。このことは、貼り付けたシートが多数（例えば１０以上）にもなる会合で、その配列関係を覚えておくのが困難な場合ではなおさらである。
【００１３】
上述の問題の幾つかを解決するため、電子機器とボード面（例えば、ホワイトボード、平面パネルディスプレー画面など）を組み合わせ、ボード面に表示された情報を後でアクセス及び／又は表示するため記憶することができるような他のシステムが開発されている。例えば、ある場合には、コマンドによりホワイトボード面のデジタル画像を撮り記録するようなデジタルカメラを設けても良い。ここで、レターサイズのデジタル画像のコピーを保管又は配布用に印刷できる。別の例として、ある場合にはホワイトボード上のペン先やイレーサーの動作を追跡し、そのペンやイレーサーの動作の描画を生成して後のアクセス及び／又は印刷のためにその描画をデジタル形式で記憶できるシステムが提供される（この件については、参照することによりそっくり本明細書に援用される米国特許出願第１０／４５２，１７８号、発明の名称「電子ホワイトボード」を参照）。
【００１４】
もう一つ別の例として、あるシステムでは、隣接したホワイトボード面を動くペンやイレーサー型のツールを追跡して、プロジェクターがそのボード面上のそのツールの動きを示す画像を投影（即ち、ペン動作が投影画面上にそのペン先の動作に沿って動く線として現れ、イレーサーの道具が拭った範囲内にある全ての投影マークが投影画像から消える等）する。ここで、プロセッサはそのボード面に投影された画像をリアルタイム又は指定した時間にデータベースに記憶する。その後、その記憶された画像は記憶装置から読み込まれプロジェクターやボード面を介して再表示することができる。同様のシステムが平面パネルディスプレー（例えば、プラズマ、ＬＣＤなど）やタッチ・センシティブ・プロジェクション・スクリーンを用いて提供されている。
【００１５】
上述の電子的に高機能化されたアセンブリは書き換え自在ボードに関する多くの課題を克服するが、残念なことに、このアセンブリは幾つかのシート又はそれと同様のプレゼンテーション形態による多数の情報を表示するフリップチャート形式で使用することはできない。従って、電子的に高機能化されたシステムによって連続して表示された情報に関するもので、情報の同時表示が共同作業の相乗作用をもたらす場合であっても、一度にただ一つのスクリーン画像を表示し拡大できるだけである。
【００１６】
電子的に高機能化されたシステムの幾つかは、２つ以上の大型画面を通じて視聴者に表示する画像を情報のプレゼンターが予め見たり、編集したり、指定したりすることのできるシステムが開発されている。例えばある場合には、情報のプレゼンターは、プレゼンの最中及び視聴者に画像を表示するより前にスライドを見たり編集したりする、若しくは画像を予め記憶しておくべく演壇に取り付けられた表示装置を使用できる。ここで、プロセッサは、視聴者に表示すべき画像が選択されると、その選択された画像を２以上の大型画面のどれに送るか確認するため、演壇に取り付けられた表示装置を通じてプレゼンターに制御させるようにしても良い。例えば、第１の大型画面と第２の大型画面とが演壇の後方に、それぞれ演壇の左と右に配置されている場合には、プレゼンターは画像を表示するのに左か右の大型画面の一方を選択できる。
【００１７】
上記のような画像を予め見て／指定するシステムの利点にもかかわらず、これらシステムでさえ欠点を有する。例えば、演壇に取り付けられた表示装置は視聴者へプレゼンする前に画像を編集するのに適しているものの、視聴者がこの表示装置に表示された情報を見ることができないように表示装置が特に配置されている。従って、この演壇に取り付けられた表示装置は、フリップチャートのトップシートのように共同作業の形で使用することができない。
【００１８】
また、上述のような既知のシステムでは、表示された画像をアーカイブ化のためデジタル形式で分離して記憶する必要がある。従って、例えば、１０の大型画面を備えたシステムで、個々の画像がその大型画面の各々に表示され、このシステムを使用するグループが明日再開することとして共同作業を今日は中断すると決める場合には、その１０の画像の各々は、そのシステムをオフにする前に別々に記憶する必要があり、また次の日に別々に読み出す必要がある。
【００１９】
さらに次の日、この別々に記憶された１０の画像が読み出され活動を再開する際、前日会合を終了した状態を再現するため、その読み出された画像は、混乱を避けるために前日その画像を表示するのに使用したまさにその大型画面装置により表示する必要がある。適切な空間秩序で画像を読み出し表示するこの過程はどう考えてもうんざりする。
【００２０】
少なくとも場合によって、二つ以上の大型画面と演壇に取り付けられたプレビュー表示装置を備えるシステムに関するその他の欠点は、そのシステム全体のサイズ並びにそのシステム設定が複雑なことである。従って、例えば、大型画面の各々が画面とプロジェクターを備えている場合、そのシステムの異なる会場間の移動は難しく、あるいは、場合によっては全く移動できない。
【特許文献１】米国特許出願第１０／４５２，１７８号
【発明の開示】
【００２１】
一般的に、本発明は主プレゼンテーション装置と一以上の従プレゼンテーション装置を備えており、プレゼンテーションの視覚的な特徴においても、システムオペレータがこの主従プレゼンテーション装置と情報をやり取りする方法においても、従来の紙パッド型のフリップチャートの持つ有利な特徴をまねて使用することができる。このため一般に、システムオペレータは会議室、教室、工場現場などにいる視聴者と共同作業する形で主装置を使用し、オペレータと視聴者のそれぞれが同時に見ることのできる主ディスプレー画面を通じて動的に概念を表示したり考えを展開したりする。従って、例えば、オペレータはタッチペン又は仮想インクペンを使用し、視聴者の前で主ディスプレー画面に画像を描くことができ、また、仮想インクイレーサー型ツールを使用して共同作業の形でその画像の一部を消すことができる。
【００２２】
主ディスプレー画面上に図表が仕上がると、オペレータは主装置に設けられた双方向性ツール又は他の双方向性デバイスを使って完成した図表を主ディスプレー画面から従プレゼンテーション装置の何れか一つに「切り替え」、それによって、パッドから紙のフリップチャートパッドのトップページを切り取って、パッドの次のシートを更に画像を共同で展開するのに使用される間、引き続き見せるため視聴者の前にその切り取った紙のシートを貼り付ける作業手順と似たようにできる。
【００２３】
多くの人は従来の紙形式のフリップチャートを使うのに慣れ親しんでいるため、従来の紙形式のフリップチャートをまねた本発明のシステムは一般に使用し易い。また、発明の多くの実施形態では、画像を従プレゼンテーション装置に切り替えるのに必要な作業は、従来の紙パッド形式のフリップチャートを使った場合に必要な切り取り作業や貼り付け作業より注意をそらすこともない。
【００２４】
本発明の少なくとも幾つかの実施形態では、図表等に情報を加えたり情報を消したりすることができるのに加えて、主プレゼンテーション装置は様々なタイプのコンピュータソフトウェアによって生成されるデジタル方式で記録されたデータにアクセスすることもできる。例えば、少なくとも幾つかの実施形態では、主装置はワードプロセッサの文章、スプレッドシート画像、ＣＡＤ図面や模型、及び／又はインターネットブラウザのスクリーンショットにアクセスするのに使用できる。ここで、デジタル方式で記録された画像をアクセスすると、このデジタル方式で記録された画像は主ディスプレー画面を通してオペレータと視聴者に同時に表示され、従プレゼンテーション装置の一つに切り替えられると、この画像は従装置にそっくりそのまま表示される。
【００２５】
更に、本発明の少なくとも幾つかの実施形態では、主プレゼンテーション装置は主装置インタフェースツールによって、或いは携帯型ラップトップコンピュータ、パーム型コンピュータデバイス又は他のタイプの携帯型遠隔制御装置など他のタイプの入力装置の双方向性を通して、様々なタイプのソフトウェアを制御するのに使用することもできる。例えば、主装置はＣＡＤ描画ツール、スプレッドシートソフトウェア、インターネットブラウザ又はその他のコンピュータネットワークブラウザなどにアクセスするのに使用できる。ソフトウェアプログラムが主プレゼンテーション装置によって制御される場合、主ディスプレー画面は標準的なコンピュータモニタのそれと同様の方法で操作する。少なくとも幾つかの実施形態では、主ディスプレー画面はタッチ式で、主ディスプレー画面（例えば、主ディスプレー画面の端に沿ったツールの余白）に表示されたアイコンを選択することでプログラムが制御できる。
【００２６】
少なくとも幾つかの場合には、デジタル方式で記録された画像を主ディスプレー画面に表示する場合、この画像上の情報を上述の仮想インクペンやイレーサーなどの双方向性ツールによって変更できる。本発明の少なくとも幾つかの実施形態では、主装置が、表示のため情報を主ディスプレー画面から従プレゼンテーション装置に切り替えるのに使用できるのに加えて、従プレゼンテーション装置の一つに現在表示される情報に再アクセスし、必要であれば従装置に表示の情報を主装置によって変更できる。ここで、変更のために従装置の一つに表示された情報に再アクセスする作業は、以前に貼り付けた紙のフリップチャートのシートに表示された情報を追加或いは消去する従来のフリップチャートの作業と同類又は類似であり、従来のフリップチャートを効果的に使用する方法に既に慣れ親しんでいる人には分かりやすいであろう。
【００２７】
本発明の主装置と従装置間の相互接続は無線ＲＦ通信、赤外線通信、装置間を実配線接続した通信、又は他の方式の通信を含む様々異なるいろいろな周知方法で実施できる。また、パーム型コンピュータ又はラップトップコンピュータなどの遠隔制御インタフェース装置を使用して主プレゼンテーション装置を制御する場合、この遠隔装置と主装置間の接続は無線通信又は配線接続通信のどちらでも良い。インタフェース装置とプレゼンテーション装置間に無線通信が使用される場合には、この無線通信は通信システム要素間を直接つなぐものであれば良く、或いは、別の方法では、システム構成要素が使用される領域内又はその近くに配置されたアクセスポイントを介してつなぐものでも良い。
【００２８】
上記によれば、本発明の少なくとも幾つかの実施形態では、場内の視聴者に情報を表示するプレゼンテーションシステムを含み、該システムは通信ネットワーク、制御インタフェース、プロセッサと主ディスプレー画面を有する主プレゼンテーション装置であって、主ディスプレー画面は場内の視聴者が見られるように場内に配置され、プロセッサは制御インタフェースによって発せられたユーザコマンドに基づき主ディスプレー画面に表示された画像をネットワークを介して送信するよう操作することができる主プレゼンテーション装置、及び、場内の視聴者のため、ネットワークを介して主装置によって第１の従プレゼンテーション装置に送信された画像を受信し表示するよう操作できる第１の従画面を備える少なくとも第１の従プレゼンテーション装置を備えている。
【００２９】
更に、幾つかの実施形態では、場内の視聴者に情報を表示するプレゼンテーションシステムを含み、このシステムは、通信ネットワーク、及び、各プレゼンテーション装置が場内の視聴者に画像を表示するよう配置され、プレゼンテーション装置の少なくとも一つがユーザコマンドに基づきディスプレー画面に表示された画像をネットワークを介して別のプレゼンテーション装置の一つに送信するように操作することができるプロセッサとディスプレー画面を有する主装置であり、その他プレゼンテーション装置の各々がネットワークを介して主装置によってその他の装置に送信された画像を場内の視聴者に受信し表示することができるように操作できる、複数のプレゼンテーション装置を備えている。
【００３０】
更に本発明の幾つかの実施形態は、プレゼンテーション装置の各々が場内の視聴者が装置に表示された画像を見ることができるように配置される場内の複数のプレゼンテーション装置とともに使用する方法であって、制御インタフェースを設けるステップと、プレゼンテーション装置の各々に表示される画像が装置個別の画像であるプレゼンテーション装置の各々に画像を表示するステップと、表示画像を記録する指示を検知するため制御インタフェースをモニタするステップと、各プレゼンテーション装置の表示画像を記録する指示が受信されると、画像装置セットを形成するため表示された装置別個の画像を装置識別子と関連づけるステップと、前記装置の全ての該画像装置セットを会議画像セットとして記録するステップと、を含む表示された画像を管理する方法を含む。
【００３１】
更に、幾つかの実施形態では、主プレゼンテーション装置とともに、少なくとも第１の従プレゼンテーション装置、通信ネットワーク及び制御インタフェースを用いる方法であって、主装置がプロセッサ及び主画面を備え、従装置が従画面を備えており、場内の視聴者が見られるように、場内に主ディスプレー画面を配置するステップと、従画面により表示された画像を場内の視聴者が見られるように場内に従画面を配置するステップと、主画面に表示された画像を従画面に表示する指示を検知するため制御インタフェースをモニタするステップと、主画面に表示された画像を従画面に表示する旨の指示を受信すると、通信ネットワークを介して主画面に表示された画像を従装置に表示するため送信するステップと、を含む場内の視聴者に画像を表示する方法を含む。
【００３２】
更に他の実施形態では、制御インタフェース並びにプロセッサ及びディスプレー画面を有するプレゼンテーション装置を備え、ディスプレー画面が主プレゼンテーション領域及び主プレゼンテーション領域から分離された少なくとも第１の従プレゼンテーション領域を有し、プロセッサがインタフェースからコマンドを受信するようにインタフェースと接続でき、プロセッサが画像を主プレゼンテーション領域から従プレゼンテーション領域へ切り替えるインタフェースからのコマンドをモニタするようにプログラムされ、画像を切り替えるコマンドが受信されると主プレゼンテーション領域の画像を消去して従プレゼンテーション領域に画像を表示する、場内の視聴者に情報を表示するプレゼンテーションシステムを含む。
【００３３】
本発明のこれら及びその他の目的、効果、特徴は以下の記載から明らかとなるであろう。本明細書では、本明細書の一部を構成し本発明の好ましい実施形態を示す添付図面について参照する。かかる実施形態は必ずしも本発明の全ての範囲を表すものではなく、従って、本発明の範囲を解釈するにあたっては特許請求の範囲を参照されたい。
【発明を実施するための最良の形態】
【００３４】
本発明は種々異なる形態で具体的に表現できるが、本開示は本発明の例としての実施形態を記載するものであり、該実施形態が例示した特定の実施形態に本発明を制限することを意図したものではないと見なされるべきであるとの了解の下で、ここに本発明を記載する。
【００３５】
次に図面を参照すると、ここでは、それぞれの図面を通して同じ参照番号は同様の構成要素を表し、更に詳細には、図１を参照すると、後述するこのシステムの構成要素は、視聴者に対して情報を表示するため及び／又はシステムオペレータと視聴者間の共同作業を促すため任意の場所で使用できるが、ここでの説明を簡単にすべく、このシステム及び構成要素を典型的な会議室１１という状況で説明する。この会議室１１は、通常会議室１１の前面に配置される表示壁１２、この会議室１１に出入りするためのドア１４、及び複数の会議テーブル又は机を備え、このテーブル又は机の二つをそれぞれ数字１６と１８とする。会議室１１の前面の隣接壁１２で視聴者に表示された情報を容易に見られるように会議室１１内の視聴者の向きを定めるため、このテーブル１６と１８は会議室１１内の座席（図示せず）と同様に並べられる。
【００３６】
本発明の少なくとも幾つかの実施形態では、壁１２に隣接する主従プレゼンテーション装置を一時的に、あるいは取外しできないように支持する細長い水平レール４０が会議室１１の床より上に約６から７フィートの壁１２に取り付けられている。また、図３を参照すると、レール４０は高さＨ１、及びレール４０の長さに垂直で水平上面４１となる幅Ｗ１を有する。レール４０はボルトなどの何らかの安全な方法で壁１２に取り付けられ、以下より詳細に説明するプレゼンテーション装置取り付け部材の末端（例えば、図３の７４）を壁とレール４０の裏面の間に取り付けるように壁１２の表面から離して設けられる。
【００３７】
さらに図１を参照すると、典型的な第１のシステム１０は主プレゼンテーション装置２８ならびに第１及び第２の従プレゼンテーション装置２２ａ及び２２ｂを備えている。図１に示したように、そのプレゼンテーション装置２８、２２ａ、２２ｂ等の各々は壁１２に隣接するレール４０に取り付けられつり下がっており、プレゼンテーション装置の前面（通常、数字４８又は小文字を付けた数字４８で特定される）を会議室１１内の視聴者が容易に観ることができるようになっている。また、図２と図３を参照すると、図示した実施形態の主プレゼンテーション装置２８は電気画像形成装置であり、それぞれ硬くて通常直線で比較的薄いプラスチック又は金属製の筐体アセンブリ５２内に取り付けられた平面プラズマディスプレー画面又は液晶型ディスプレー画面４８、送受信機及び第１と第２の取り付けフック又は取り付け部材７２、７４を備えている。
【００３８】
また、図３を参照すると、筐体５２はそれぞれ対向する前面５３及び裏面５５を備えている。前面５３には画面４８を取り付ける開口部５７を設け、それによって幅Ｗ２高さＨ２の前面５４を観ることができる。取り付け部材７２と７４は裏面５５の左右反対の上方の角から伸び、裏面５５と末端の対向面（図３の数字５９で特定した対向面の一つ）の間に溝１７と１９を形成するようにその末端で下向きに伸びている。各溝１７と１９は窪み寸法Ｒ１を有し、これはレール４０の幅寸法Ｗ１と実質的に同じである（図３参照）。
【００３９】
主プレゼンテーション装置２８をレール４０に取り付けるために、図１と図３に示した最良の形態のように、部材７２と７４の溝がレール４０の上部となるように装置２８はレール４０に対して持ち上げて配置される。従って、レール４０の一部が部材７２と７４で形成された溝内に嵌るまで、そして通常レールの上面４１（図３参照）で支持されるように装置２８は低く置かれる。図示はしていないが、裏面５５の底面付近から壁１２に接触するまで伸び、装置２８をほぼ垂直方向に固定するさらに一以上の延長部材を設けても良い。
【００４０】
再度図３を参照すると、典型的な主プレゼンテーション装置２８は、前述した構成要素に加えて、プロセッサ８０、キーボード又はその他の制御インタフェース３０（即ち、画面上のアイコンなどの他の手段によって双方向性が実現される場合にはキーボードは必要ない）、及びデジタルメモリ８８を備えている。プロセッサ８０及びメモリ８８は筐体５１により形成されるキャビティ６１内に取り付けられ、同時にキーボード３０はその筐体構造により支持されるキーを含んでいる。プロセッサ８０は複数のデータバス（番号を付与していない）を介して送受信機２０、ディスプレー画面４８、キーボード３０及びメモリ８８のそれぞれに接続されている。通常、送受信機２０は、幾つかの様々な無線技術（例えば、ＲＦ、赤外線など）のいずれかを介して、及び幾つかの様々な無線通信プロトコル（例えば、８０２．１１ｂ、ブルートゥースなど）のいずれかを介して、送受信機２０の周辺内（例えば、会議室１１に制限された空間内）で情報を送信したり受信したりすることができる。
【００４１】
メモリ８８はデジタルメモリ装置であり、様々な方法を実行するためプロセッサ８０で使用可能な複数の異なるタイプの情報を含んでいる。通常、メモリ８８に記録される情報はプロセッサ８０によって実行されるプログラムとディスプレー画面４８により表示される画像からなる２つの形態をとる。プロセッサ８０によって実行されるプログラムは、少なくともいくつかの場合、画面４８に情報を加えたり、画面４８から情報を消したりするのに使用される仮想インクペンや仮想インク型イレーサーの位置を検出する為の位置検出プログラムのほか、画面４８を介して情報を表示するためのディスプレードライバプログラムを含んでいる。
【００４２】
また、メモリ８８は画面４８によって表示する画像を管理するのに使用されるプログラムを含んでいる。少なくとも本発明の幾つかの実施形態では、例えば、メモリ８８内のあるプログラムが装置２８から従プレゼンテーション装置の一つに切り替えられた各画像に特定の識別番号を割り当てるようにしても良く、後でアクセスするために、メモリ８８内に各切り替えられた画像と対応する識別番号を記録しても良い。別の例としては、画像が特定の従プレゼンテーション装置の一つに切替られる際、画像が切り替えられている従装置を一意的に特定する装置識別子とともに切り替え画像を関連づけて記録するように、主装置のプロセッサ８０をプログラムしても良い。メモリ８８に識別子や画像が記録された後、その特定の識別子を参照することで画像にアクセスできる。
【００４３】
さらに、少なくとも本発明のいくつかの実施形態では、パワーポイント、様々なスプレッドシートアプリケーション（表計算ソフト）、ＣＡＤアプリケーション、ワードプロセッサアプリケーション、インターネットブラウザアプリケーションなどの既存のソフトウェアアプリケーションのコピーを、プロセッサ８８によってアクセスし実行するためにメモリ内に記録しても良い。ここで当然のことであるが、少なくとも本発明のいくつかの実施形態では、既存のソフトウェアアプリケーションがシステム１０で使用できない場合もあり、そのような場合には、その既存のソフトウェアアプリケーションのコピーはメモリ８８内には記録されない。さらに当然のことであるが、少なくとも本発明のいくつかの実施形態では、パワーポイント、スプレッドシートなどのソフトウェアアプリケーションを、主プレゼンテーション装置２８とともに使用できるパームやラップトップ型コンピュータに記録し、又はそれを介してアクセスできるようにしても良く、プロセッサ８０が対応する既存のソフトウェアアプリケーションに対応する画像を表示するのに使用されている間は、プロセッサ８０自体はソフトウェアアプリケーションを実行しないようにしても良い。ここでそのコンピュータがプログラムを実行し、プロセッサ８０に情報を与えてディスプレー４８を駆動する。
【００４４】
さらに図３を参照すると、制御インタフェース３０は様々なタイプの入力装置が含まれる。少なくとも本発明のいくつかの実施形態では、例えば、フリップコマンド（即ち、現在ディスプレー４８上にある画像を従プレゼンテーション装置に送り、ディスプレー４８から画像をとり除くべきことを示すコマンド）並びに他のデータアクセスコマンド及びプログラム制御コマンドなどのコマンドをプロセッサ８０に与えるために、例えば、図２に示したキーのような機械的ハードウェアタイプのボタンを筐体５２の前面５３に設けることが考えられる。また少なくとも本発明の幾つかの実施形態では、替わりの手段として、或いはハードウェアタイプのボタンに加えて、システムオペレータが選ぶ選択可能なタッチアイコンをディスプレー画面４８上に設けることが考えられ、選択された場合には、コマンド信号がプロセッサ８０に送られ処理が実行される。場合によっては、画面４８上の画像にマークを書いたり、消したりすることができるように、入力装置３０が画像拡大機能（即ち、一部分の拡大インタフェースである）を有していても良い。このことを達成するために、米国特許出願第１０／４５２，１７８号を参照されたい。当該出願は、発明の名称を「電子ホワイトボード」として２００３年６月２日に出願されたもので、参照することでその全てを本明細書に援用するものである。また、少なくとも本発明の実施形態における別の手段としては、主装置２８への入力を、常に、コマンドがプロセッサ８０に送受信機２０を介して受信されるパーム又はラップトップ型コンピュータ装置（例えば、ポータブル制御インタフェース）を介して行うようにしても良い。
【００４５】
以下、別途示さない限り、ここでの説明を簡単にするため、主装置２８が機械的タイプのキーボード３０を備えているものと仮定することとする。また、別途示さない限り、パーム及びラップトップコンピュータ並びに制御装置は、全体を通して携帯用装置（ＨＨＤｓ）と表示する。さらに、装置やデバイスの通信は有線であっても良いが、ここでは、全ての装置やデバイスの通信を無線プロトコルや送受信機（例えば図２の２０）を介するものとする。
【００４６】
再度図１及び図２を参照すると、典型的な主装置のキーボードのキーは、レジュームキー５６、センドキー又は切り替えキー５８、ストアキー６０、読み出しキー６２、左センドキー、右センドキー、及びキーパッド６７を含む。ここで説明し図示した選択可能キーは単に例示であって、多くの場合、追加の選択可能キー又はここで記載したキーのサブセットをディスプレー４８に表示することもでき、その選択可能キーはシステム１０や、少なくとも場合によっては、システム構成要素を相互に並置することによって操作される機能に応じて設定する。また、既存のソフトウェアプログラムがプロセッサ８０によって実行される場合、又はディスプレー４８が既存ソフトウェアプログラムを実行するＨＨＤ用の大型ディスプレーとして使用される場合には、ソフトウェアアプリケーションを操作するのに必要なマウス又は選択可能なタッチアイコンはディスプレー４８上に表示しても良い。
【００４７】
さらに図１及び図２を参照すると、少なくとも場合によっては、主プレゼンテーション装置２８は、会議室１１内の装置を視聴する視聴者に対して従プレゼンテーション装置２２ａ、２２ｂ等の一方の側に配置することも考えられる。この場合、画像をディスプレー４８から従プレゼンテーション装置２２ａ、２２ｂ等に切り替えるためには、切り替え画像を受信するように従装置を具体的に特定する何らかの方向がなければならない。ここで記載した例示としての実施形態では、特定の従装置の識別子「１」と「２」を従装置２２ａ、２２ｂ等の一つ一つに与えることで、システムオペレータが主装置２８を相互に活用して共同作業をすすめる立場にある場合に、システムオペレータが見やすくなっている。図１では、この装置識別子「１」と「２」は装置筐体アセンブリの各一端に消せない形で印刷されている。
【００４８】
本実施例では、ディスプレー４８上の画像を装置２２ａか２２ｂの一方に切り替えること指示するため、プロセッサ８０はキーボード３０をモニタするようにプログラムされている。この場合、装置２２ａか２２ｂの一方に画像を切り替えるために、システムオペレータはキーパッド６７を使用して画像が切り替えられる装置に対応する装置識別番号を選択し、続いてセンドキー５８を選択する。例えば、画像をディスプレー４８から装置２２ａに切り替えるためには、オペレータはキーパッド６７を使用して数字「１」を選択し、次にキー５８を選択する。同様に、画像を装置２２ｂに切り替えるためには、オペレータはキーパッド６７で数字「２」を選択し、続いてセンドキー５８を選択する。
【００４９】
ここで、各々個々にアドレス指定可能な従装置、また実施形態によっては、主装置２８が、それにデータを送るのに使用できる特定のネットワークアドレスを有することが考えられる。例えば、図１において、従装置２２ａと２２ｂにそれぞれ特定の無線アドレス「ＸＰ４５５１９７８４」と「ＱＺ１４３３２１７」を割り当て、同時に、主装置２８にアドレス「ＡＭ７９６６１４２」を割り当てる。従装置の画面のアドレスは特定の従装置識別子（例えば、本実施例では「１」と「２」）と関連づけられ、その関連づけされたアドレスと識別子は主装置メモリ８８に記録される。また、この従装置２２ａ、２２ｂ等の各々のプロセッサはそれぞれのネットワークアドレスに送られる無線信号をモニタして受信するようにプログラムされている。ある従装置が切り替え画像を送る対象として選択されると、プロセッサ８０はその対象の従装置に関するネットワークアドレスを認識し、その画像及びその対象である従装置のアドレスを含む画像データパケットを生成し、このデータパケットをその選択された従装置に送信し、それから、最良の実施形態では、ディスプレー４８からその画像を消去し（即ち、ブランクディスプレー４８）或いは別の方法としてその画像をディスプレー４８によって見えないように変換し、従来の紙パッド形式のフリップチャートに類似の形式でクリーンでクリアな表面４８を実現する。他の実施形態では、主装置の画像を見えないように変換するため、別の積極的な措置を講じても良い。
【００５０】
少なくとも本発明の実施形態によっては、主プレゼンテーション装置２８は従プレゼンテーション装置２２ａ、２２ｂ等によって表示された画像を読み出すこともでき、それらの画像を編集してその編集した形で従装置により表示できる。このことを達成するために、更に図１から図３を参照すると、画像が主装置２８から従装置２２ａ、２２ｂ等のうちの一つに切り替えられる際、少なくとも発明に係る実施形態によっては、この従装置により受信される画像データを従装置のメモリ（図５の１１９参照）に一時的に記録される。
【００５１】
画像が従装置によって表示された後、システムオペレータがその画像を編集したい場合には、画像を装置２２ｂに切り替えることについて上述したのと同様の方法で、システムオペレータはキーパッド６７を使用してその従装置に対応する識別番号を選択し、次に読み出しキー６２を選択する。読み出しキー６２が選択されると、その従装置から画像を読み出しするために、主プロセッサ８０は画像読み出し要求及びその従装置のアドレスを含む読み出しデータパケットを生成し、無線でこの読み出しデータパケットをその従装置に送信する。そして、それに応答してその従装置はその画像とその主装置のネットワークアドレスを含む画像データパケットを生成し、この画像データパケットを送信して主装置２８に戻す。装置２８がこの画像データパケットを受信すると、さらにコラボレートした表示／編集とするために、主装置２８はディスプレー４８によってその画像を再表示する。
【００５２】
上記のように従装置のメモリからその従画像（従装置に記録された画像）を入手する替わりに、少なくとも本発明の実施形態によっては、主装置２８が画像を従装置に切り替える際、その画像を主装置のメモリ８８中の特定の従装置の識別子と関連づけて記録するようにしても良い。その後、オペレータが編集等のために主装置２８によって従画像を再表示したい場合には、オペレータは適切な従装置の識別子（即ち、再入手する画像を表示する従装置に関する識別番号）をキーパッド６７によって選択し、続いて読み出しキー６２を選択することで、プロセッサ８０にメモリ８８に前もって記録された画像にアクセスしてディスプレー４８にその画像を表示させることができる。
【００５３】
さらにもう一度図１から図３を参照すると、少なくとも本発明の一つの特徴によれば、プレゼンテーションあるいは共同作業の間、一つ以上のプレゼンテーション装置２８、２２ａ、２２ｂ等によって画像が表示された後、オペレータが後でプレゼンテーションを続ける意図を持ってそのプレゼンテーションを中断したい場合には、オペレータがプレゼンテーション装置によって現在表示されている全ての画像を即座に記録することによって、そのプレゼンテーション又は共同作業を再開する際、現在表示された画像の全てを即かつ速やかに、同じ関係で並置したプレゼンテーション装置によって再表示することができるような機能が与えられる。このため、プロセッサ８０はストアキー６０をモニタするようにプログラムされ、アイコン６０が選択された場合には、特定のプレゼンテーション装置の識別子（例えば「１」「２」など、主装置２８等と関連した一意的な識別子）と対応するプレゼンテーション装置によって現在表示された画像を画像−装置セットとして関連づけた上、この画像―装置セットをメモリ８８に記録する。その後、主従装置によってその画像を後で再表示するため、オペレータはレジュームキー５６を選択でき、そのキーが選択された後は、プロセッサ８０は画像−装置セットにアクセスし主従装置によってこれらの画像を再表示できる。
【００５４】
ここで、画像−装置セットが記録され又は再アクセスされる場合、プロセッサ８０を、名前を付けることによってオペレータが一意的にその画像−装置セットを特定できるように、その結果、特定の画像−装置セットを識別するのに使用できるようにプログラムしても良い。この場合、二つ以上の画像−装置セットをメモリ８８に記録しても良く、後ほどプレゼンテーションを再開するのに、不明確になるようなこと無く読み出すことができる。
【００５５】
画像を装置識別子とともに記録しても良いが、当然のことであるが、ストアキー６０を選択する際にネットワークアドレスとともに画像を記録しても同様の結果を達成できる。ここで、会議が再開される際、プロセッサ８０は単にその記録された画像とアドレスにアクセスするだけで、装置の識別子とアドレスの関係についての中間措置を実行する必要なく、その画像をそれが関係するアドレスに切り替える。
【００５６】
少なくとも幾つかの実施形態では、主装置とともに使用される従装置の数は変更せず、特定の従装置に専用のキーや機能をキーボード３０上に設けることが考えられる。例えば、システム１０が単に一つの主装置２８及び二つの従装置２２ａと２２ｂを備えている場合には、それぞれの従装置２２ａと２２ｂに別々のセンドキーと読み出しキーを設けることができ、各々のキーを選択することで画像の切り替え／読み出しを実行できる。同様に、再度図１を参照すると、少なくとも場合によっては、主装置２８を２つの従装置の間に配置することも考えられる（即ち、装置２８が従装置２２ａと２２ｂの間になるように、主装置２８と従装置２２ａを取り替える）。この場合、左センドアイコン６８と右センドアイコン７０はそれぞれ、画像を主装置２８から従装置に、それぞれ主装置の左と右に切り替えるのに使用できる。図示はしていないが、アイコン６８や７０と同様の簡単な左右読み出し矢印アイコンを設け、画像を従装置から読み出して画面４８によって再表示するようにしても良い。
【００５７】
再度図１を参照すると、少なくとも本発明の幾つかの実施形態において、従プレゼンテーション装置２２ａと２２ｂのそれぞれは類似の構成及び類似の機能を有しており、故に、ここでの説明を簡単にするために、ここでは装置２２ａだけを詳細に説明する。また、図４と図５を参照すると、従プレゼンテーション装置２２ａは抜き出したロール窓ブラインド型装置（roller window shade style unit）であり、筐体アセンブリ１００（以下、筐体１００とする）、送受信機３４ａ、回転可能及び回転不可能なプレゼンテーション画面３８ａ、それぞれ第１及び第２の取り付け部材又はフック１０２と１０４、プロセッサ１１０、モーター１１２、動力付き画面スピンドル１１４、本実施例ではプリンタ１１６の形態を採る従プレゼンター／プリントアプリケータ、イレーサー１１８、及びメモリ１１９を備えている。筐体１００は通常、それぞれ上壁１０７と底壁１１９の間およびそれぞれ前壁１１１と裏壁１１３の間にキャビティ１０５を形成する堅い箱形状の組立体である。この前壁１１１と裏壁１１３は、それぞれ前面１０１と裏面１０３に対向して形成する。底壁１０９には、通常筐体１００の丈に沿ってスリット又は開口１１２を形成し、そこを通して画面３８ａの下端が伸びている。取り付け部材１０２と１０４の各々は、主装置の筐体５２に固定される取り付け部材７２と７４と同じように、筐体１００の裏面１１３から後方に伸び、筐体１００の両端から伸びて固定される。部材１０２と１０４のそれぞれの部材の末端は下方に伸びて、部材１０２がレール４０の幅寸法Ｗ１と同様の溝寸法Ｒ２を有する溝１１７を、部材１０４がレール４０の幅寸法Ｗ１と同様の溝寸法Ｒ２を有する溝１１５を形成している。従って、主装置２８の場合と同じように、レール４０が溝１１５と１１７の間に嵌るように従装置２２ａを取り付け部材１０２と１０４によってレール４０上に取り付けできる。
【００５８】
送受信機３４ａは上壁１０７に取り付けられ、そこから上方に伸びている。本発明の少なくとも幾つかの実施形態では、画面３８ａは柔らかく巻くことができる通常直線的な部材であり、それが巻かれていないときは開口１２２を介して伸び、そこから下に筐体１００の前面１０１と同じ方向を向いたプレゼンテーション面４８ａを備えている。少なくとも幾つかの実施形態においては、プレゼンテーション面４８ａはマイラー（Ｍｙｌａｒ）（デュポンが開発し販売するポリエステル材料の商標名）など書いたり消したりすることの可能なものであり、その面上に消すことの可能なインクで書く又は描くことができ、続けて消すことができる。場合によっては、重りバー１０６を画面３８ａの下端に取り付けても良く、それは画面３８ａが巻き取られておらずに筐体１００の下に伸びている場合に、画面３８ａをほぼ平面に保持する役目をする。
【００５９】
図示した実施形態においては、プロセッサ１１０、モーター１１２、スピンドル１１４、プリンタ１１６及びイレーサー１１８の各々は筐体のキャビティ１０５内に取り付けられている。プロセッサ１１０は、モーター１１２、プリンタ１１６及びイレーサー１１８の各々に接続されており、これらの構成要素の各々を制御している。またプロセッサ１１０はメモリ１１９内の情報にアクセスするためにメモリ１１９にも接続されており、さらに、データパケットを送受信するため送受信機３４ａにも接続されている。モーター１１２はスピンドル１１４に接続されており、上端がスピンドル１１４に取り付けられた従画面３８ａを巻き取ったり巻出したりする。
【００６０】
プロセッサ１１０はプリンタ１１６を制御し、画像が主装置２８から従装置２２ａに切り替えられるときに、画面３８ａを巻き取られていない状態とするか、別の方法では、スピンドルによって画面３８ａを上下する間プレゼンテーション面４８ａに隣接する一以上のプリンタヘッドを動かすことによって、プレゼンテーション面４８ａ上の画像を印刷する。何れにしても、プロセッサ１１０はプリンタ１１６を制御して、主装置２８から装置２２ａに切り替えられた画像の描画を作成する。ある場合には、その描画はカラーであり、一方、別の場合には、その描画は白黒である。さらに別の場合には、カラーで印刷するか白黒で印刷するかをユーザのオプションとしても良い。
【００６１】
イレーサー１１８は、プリンタ１１６によりプレゼンテーション面４８ａに書き込まれたインクを消すため、プロセッサ１１０によって制御される。このことを実行するためには、画面スピンドル１１４が画面３８ａを巻き上げるときに、イレーサーパッドをプレゼンテーション面４８ａ上に保持しつつ、イレーサー１１８を筐体１００の長さに沿って単に前後に動かせば良い。また別の代替案では、プロセッサ１１０はイレーサー１１８を制御して、プレゼンテーション面４８ａ上に他の情報を残しつつプレゼンテーション面４８ａから特定の情報を消すようにもできる。ここで例えば、システムオペレータが主装置２８を介して編集することのできる従装置２２ａの画像に再度アクセスする場合に、仮にその編集が装置２８によって画像の特徴的な部分だけを消去し、それから、その変更画像を装置２２ａに戻す再度の切り替えを伴うだけのものであれば、プレゼンテーション面４８ａからの適当な情報を消し、かつ画面３８ａを巻き取らないことで、その変更画像を装置２２ａによって表示することができ、その結果、その変更画像をプレゼンテーション面４８ａによって見ることができる。
【００６２】
従って、図１から図５に示した実施形態では、主画面上の画像を装置２２ａに切り替えるようにオペレータが指示すると、送受信機２２を介して画像データパケットが送受信機３４ａを介してプロセッサ１１０に送られ、その後同時に画面３８ａを広げかつインクを面４８ａに塗布するためプロセッサ１１０がモーター１１２及びプリンタ１１６を制御し、それによって切り替え画像を面４８ａ上に形成する。画像が面４８ａ上に形成されたあと、システムオペレータが別の画像を装置２２ａに切り替えると、プロセッサ１１０はまずモーター１１２とイレーサー１１８を制御して画面３８ａを巻き取り、その間、同時にその画面上に印字されたインクを消す。面４８ａをきれいにしたあと、次に、プロセッサ１１０はモーター１１２とプリンタ１１６を制御して再びインクを面４８ａに塗布し、それによって新たに切り替えられた画像を視聴者が見えるように面４８ａ上に描画する。
【００６３】
画像が主装置２８から切り替えられたあと、従装置２２ａ又は２２ｂの一方は、現在表示している画像を消して新たな画像を面４８ａに形成するインクを塗布するのに多少の時間（例えば３０秒以上）を要するが、ディスプレー４８はすぐにきれいにでき、コラボレート処理を続けるのに使用できる。従って、上述したような画像の生成が遅れることが共同作業を遅らせることはない。
【００６４】
図１を参照すると、当然のことではあるが、画面３８ａに切り替えられて表示される画像がもともとディスプレー４８に表示されていた画像スケールとほぼ同じスケールを有するように、主画面４８の寸法と従画面３８ａのうち広げて画像を表示するのに使用される部分の寸法は同じである。
【００６５】
さらに図１から図５を参照すると、当然のことであるが、主装置２８、従装置２２ａ、２２ｂなどがレール４０から取外しできる場合には、上述した全システムは一方の会議室１１から他方の会議室に容易に移動させることができ、別の会議室内にあるレール４０と同様のレール上に装置の裏面から伸びる取り付け部材を取り付けることによって容易に設定することができる。移送の間、従装置の画面（例えば３８ａ）は保護するため及びコンパクトな形状とするため、完全に巻き取ることができる。
【００６６】
次に図６を参照すると、従プレゼンテーション装置１２０の第２の実施形態を示しており、上部ヘッダー１２２、筐体１２４、送受信機１３０、画面１２６、ならびに第１及び第２の取り付け部材１３２及び１３４を備えている。取り付け部材１３２と１３４は構成及び機能が上述の取り付け部材１０２と１０４と同様であるため、ここでは詳細に説明しない。ここでは、上述したレール４０と同様のレールに装置１２０を取り付けるため、部材１３２と１３４がヘッダー１２２の裏面から伸びていることを説明すれば十分であろう。
【００６７】
この第２の実施形態では、画面１２６はヘッダー１２２の下面にしっかりと固定され、下部筐体１２４に開口（図示せず）を設け、画面１２６の下部末端がそこを通って伸び、図５に関して上述したスピンドル１１４と同様の画面スピンドルがその下部末端に取り付けられている。また、本実施形態では、図５に関して上述したプロセッサ１１０、モーター１１２、プリンタ１１６、メモリ１１９及びイレーサー１１８も筐体１２４内に取り付けられており、また送受信機１３０は筐体１２４から上方に伸びている。ここで、画像が主装置２８から従装置１２０に切り替えられるときに送信される画像データパケットは送受信機１３０によって受信され、筐体１２４内のプロセッサが筐体内のモーター及びプリンタを同時に制御して、画面１２６を広げかつ面１２６にインクを塗布して、筐体１２４をヘッダー１２２の下方に下げながら（矢印１２８参照）切り替え画像をその面上に形成する。ここでの１つの特徴は、画像を上から下に印刷できることである。同じように、面１２６上の画像を消す場合には、筐体１２４内のプロセッサは筐体１２４内のモーターとイレーサーを同時に制御して画面１２６を巻き取るとともに面１２６からインクを消し去る。
【００６８】
次に図７、図８及び図９を参照すると、図５の従装置に類似するさらに３つの従装置の実施形態１７１、１７３及び１７５を示す。図７から図９において、各々の従装置は図５に関して上述したものと同類であるプロセッサ１１０、モーター又は幾つかのタイプのモチベータ１１２、プリンタ１１６、イレーサー１１８、メモリ（図示せず）、取り付け部材（例えば１０４）、及び送受信機３４ａを備えており、従って説明を簡単にするため、これらの構成要素を再度個別に説明はしない。図７、図８及び図９の実施形態と図５の実施形態の主な差異はどうやってプレゼンテーション画面を伸ばしたり引っ込めたりするかと言う点である。
【００６９】
図７の実施形態は一般に引き出し式無限ループ型装置であり、動力付きスピンドル１５１と回転自在スピンドル１４８の双方を備えている。動力付きスピンドル１５１はプロセッサ１１０の制御のもとでモーター１１２によって駆動される。図７において、画面１４４は筐体１００内の動力付きスピンドル１５１に巻き付いた連続ベルト又はループ型の画面であり、下方に伸び、筐体１００の下方で回転自在スピンドル１４８に巻き付き、前画面部がプレゼンテーション前面１５５を形成し、裏画面部が面１５５の方向と逆方向を向いている裏面１５９を形成する。少なくとも幾つかの実施形態では、通常、筐体１００の全丈に沿って伸びる２つの開口に似たスリット１４０と１４２を筐体１００に形成し、画面１４５がそのスリットを通り抜ける。
【００７０】
少なくとも幾つかの実施形態では、スピンドル１５１を時計回り又は反時計回り方向に動力をかけることができ、その結果、画面１４４は矢印１４６で示したように上又は下方向の何れかに動かすことができ、また、回転自在スピンドル１４８は矢印１５０で示したように時計回りか反時計回りの何れかの方向に回転することができる。ここで、少なくとも本発明の幾つかの実施形態では、画像が装置１７１に切り替えられる際、プロセッサ１１０はモーター１１２及びプリンタ１１６を同時に制御し、スピンドル１５１が時計回り方向に回転するときに画面１４４上にインクを塗布して画像を形成する。画像が形成された後、その画像は筐体１００と回転自在スピンドル１４８の間の前面１５５上に見ることができるようにされる。この場合、その画像を消すためには、スピンドル１５１を反時計回り方向に回転させれば良く、その間イレーサー１１８がインクを画面１４４から消し去る。前面１５５から画像を消去する為の別の方法としては、画像を、回転自在スピンドル１４８の周りを回転させ、動力付きスピンドル１５１へ戻し、更に回転させ、そして再度下げてイレーサー１１８を通過し、その間、イレーサー１１８が画面上のインクを消し去るように、スピンドル１５１を時計回りの方向に回転させても良い。図７に示してはいないが、更にもう一つ別の実施形態では、イレーサー１１８を筐体１００内の画面１４４の反対側の位置に設け、１５５の部分が開口１４０を通って上に移動されるときに画面１４４上に存在する画像を消去するのにこのイレーサーを使用することもできる。
【００７１】
図８を参照すると、例示で示す従プレゼンテーション装置１７３は引き出し式ドロップループ型装置であり、双方とも筐体１００内に取り付けられた第１の動力付きスピンドル１６３及び第２の動力付きスピンドル１６５ならびに回転自在スピンドル１６７を備えており、プレゼンテーション画面１８１の第１端と第２端はそれぞれスピンドル１６３と１６５に取り付けられこの回りに巻き取られ、画面１８１の中央部分は、筐体１００の下方に吊した回転自在スピンドル１６７の回りをくるんでいる。この場合、動力付きスピンドル１６３及び１６５は画面１８１のプレゼンテーション面１８３を矢印１４６で示した上方又は下方の何れかへ移動するのに使用でき、また、スピンドル１６７の回りを矢印１８７で示した何れかの方向へ移動するのに使用することができる。上記従装置の実施形態の場合のように、主装置２８との相互作用による画像切り替え機能を実現するために、プリンタ１１６とイレーサー１１８はプレゼンテーション面にインクを塗布するように又はそこからインクを消去するように制御できる。
【００７２】
次に図９を参照すると、装置１７５は、スピンドルが上げ下げ組立部１７４に替わり、画面が巻き取り可能な画面部材に替わってセグメント化された折りたたみ型画面１７２であり、この画面が細長い水平画面部材を備え、その２つをまとめて番号１８９と定め、水平に細長く伸びた両端に沿ってつながっていることを除けば、図５、図７及び図８に関して上述した装置と類似の引き出し式折りたたみ型装置である。ここで、矢印１７０に示した如くプリンタ１１６近くの画面１７２を下げ、イレーサー１１８近くの画面１７２を上げるように、モチベータ１１２はプロセッサ１１０によって制御される。
【００７３】
次に図１、図１０ａ及び図１０ｂを参照すると、例示のＨＨＤインタフェース装置２００は、通常直線で構成された堅いプラスチック又は金属の筐体１９９を有し、該筐体はプロセッサ２０３、ディスプレー２０４、キーボード２０９、及び送受信機２１１を含む他の装置構成要素を保護し担持している。プロセッサ２０３は送受信機２１１、画面２０４、メモリ２０７、及びキーボード２０９の各々に接続されており、必要に応じてそれらから情報を受信し又はそれらへ情報を送信する。プロセッサ２０３はメモリ２０７に記録された様々なプログラムを実行する。また、本発明の少なくとも幾つかの実施形態では、プロセッサ２０３は既存のコンピュータネットワーク（例えば、ローカルエリアネットワーク、ワイドエリアネットワーク、インターネットなど）に、会議室１１の内部又はその近くに取り付けられたアクセスポイントとの無線通信を介してアクセスできるようにしても良い。装置２００の如き無線デバイスとネットワークサーバーとのアクセスポイントを介した通信は無線通信技術の分野でよく知られており、故に、ここでの説明を簡単にするため詳細な説明はしない。
【００７４】
キーボード２０９は、図２について上述したキーボードのキーと同様のハードウェアキーを有する。具体的には、メカニカルキー２０８、２１０、２１６及び２２０は上述のキー５６、６０、６２及び５８と同類のものであり、それぞれ、プレゼンテーションを再開する、プレゼンテーションに関連する画像を記録する、従装置で表示された画像を読み出して主装置２８に再表示する、及び画像を主装置２８から従装置の何れか一つに送るのに使用することができる。キーパッド２１４は図２について上述したキーパッド６７と同じように使用される。例えば、識別番号「２」と関連づけされた画像を切り替える従装置を示すには、オペレータはキーボード２０９の「２」キーを選択し、続いてセンドキー２２０を選択する。
【００７５】
左矢印キー２２２はそのラベルが意味するように、主装置２８により現在表示の画像を主装置２８の左側の従装置へ送るべきことを示している左送りキーである。同様に、右矢印キー２２８は、主装置２８によって現在表示の画像を主装置２８の右側の従装置へ送るべきことを示している右送りキーである。右向き矢印キー２２３は、主装置２８の左側の従装置に現在表示の画像を主装置に読み出しそこに表示すべきことを示している左読み出しキーである。同様に、左向き矢印キー２２６は、主装置２８の右側の従装置に現在表示の画像を主装置２８によって読み出し表示すべきことを示している右読み出しキーである。
【００７６】
上述のキーに加えて、他のキーボードのキーにより入力された情報を決定することを指示するのに使用できるＥｎｔｅｒキー２１２が装置２００に設けられる。例えば、プレゼンテーションを再開する場合に、レジュームボタン２０８を選択したあと、以前記録した特定の画像−装置セットにアクセスするために特定の７桁番号コードを入力しなければならない場合には、プロセッサ２０３が会議の識別番号領域をディスプレー２０４に表示し、画像−装置セットに対応する画像にアクセスしその画像をプレゼンテーション装置に表示するために、その表示された領域に特定の７列の番号を入力しなければならない。本発明の少なくとも幾つかの実施形態では、装置２００は、実際には、様々なソフトウェア（例えば、パワーポイント、スプレッドシートアプリケーション、ワードプロセッサなど）と情報のやり取りをする完全なラップトップコンピュータとして使用できるように、コンピュータのキーボードに通常存在する文字、数字及びファンクションキーを含むフルキーボードを備えていても良いと考えられる。
【００７７】
更に図１と図１０ａを参照すると、少なくとも幾つかの実施形態では、画面２０４は全機能を搭載したタッチ・センシティブ・フラットパネルディスプレー画面であり、これはソフトウェアアプリケーションに対応する画像、タッチペン２０２又は他の同じような形態のインタフェースによって画面２０４に加えた情報に対応する画像、少なくともある場合には、ソフトウェアが生成した画像と加えた情報との結合画像を含むほぼどんなタイプの視覚画像でも表示するのに使用できる。従って、例えば、ディスプレー２０４にパワーポイントのスライドが表示されているとき、少なくとも場合によっては、システムオペレータはタッチペン２０２を使用し、ディスプレー２０４上にマーク（例えば、図１０ａの２２９）をすることができ、プロセッサ２０３はこのマークを追跡し、それに応答してプロセッサ２０３はディスプレー２０４上の画像を変更してそのマークを表示する。ここで、画面２０４の表面に実際のインクが塗布されることは無いにもかかわらず、そのマークがディスプレー２０４上に現れることから、そのマークを仮想インクマークと称する。
【００７８】
本発明の一つの特徴によれば、重要なことは、制御インタフェース２００のディスプレー２０４により表示される情報が装置２８の主ディスプレー４８上で速やかに更新されることである。従って、ＨＨＤ２００を使用するときにシステムオペレータが会議室１１内のどこかにいる間ずっと、オペレータはＨＨＤ２００を使用してリアルタイムで、かつコラボレート・フリップチャートと同じように、ディスプレー４８上に表示される画像を修正できる。ディスプレー４８上の画像が完成したあとでオペレータが画像を装置２８から図１の従装置２２ａ又は２２ｂの一方に切り替えたい場合には、その画像を適切な従装置に切り替えるため、オペレータはＨＨＤ２００を使用する。図１に示した実施例では、例えば画像を主装置２８から従装置２２ａに切り替えるために、オペレータはＨＨＤ２００上の「１」キー、続いてセンドキー２２０を選択する。センドキー２２０を選択後、プロセッサ２０３は、選択した装置に画像を切り替えるようコマンドする主装置ネットワークアドレスを含むフリップコマンドデータパケットを形成し、このフリップコマンドデータパケットを送受信機２１１及び２０を介してプロセッサ８０（再度図３を参照）に送信する。このフリップコマンドを受信するのに応答して、プロセッサ８０は現在の表示画像を含む画像データパケットを形成し、この画像データパケットをＨＨＤ２００によって選択した従装置へ送信する。
【００７９】
さらに図１０ａと図１０ｂと図１を参照すると、装置２００はスタンドアローンのラップトップコンピュータであっても良く、また、全データを処理するプラットホームを設けて主装置２８を単なる入出力デバイスとしても良い。ここで、例えば、ディスプレー２０との双方向性を調節するプログラムを装置２００により実行し、装置２００が主装置プロセッサ８０にデータを送るディスプレーを単に備えるようにしても良い。
【００８０】
またこの場合、装置２００が画像プレゼンテーションを完全に作成し、主装置２８は切り替え処理や読み出し処理を実行しないようにしても良い。ここで例えば、主装置及び従装置で表示された画像を含む全ての画像を装置２００が記録するようにしても良い。プレゼンターが主画像（主装置の画像）を従装置に切り替えるよう主装置２８により指示すると、そのコマンドは、主画像を指定した従装置に送信することでその切り替えを順次行う装置２００によって受信される。またここで、その切り替えた画像を消去するため、装置２００が主装置に自動的にコマンドを送信するようにもできる。また、読み出しコマンドは、主プロセッサ８０により実行する替わりに装置２００により実行する。
【００８１】
次に図１１を参照すると、本発明の少なくとも幾つかの態様にかかる例示の第２のシステム２３０を示す。図１に関して上述した会議室１１と同様の会議室の関係でシステム２３０を示し、そこでは、関連づけしたプレゼンテーション面を視聴者が見やすいように、プレゼンテーション装置４８及び２３２が会議室内のレール４０に取り付けられている。ここで主装置２８は図１に関して上述した主装置２８とほとんど差異なく同様である。その差異に関して図３を再度参照すると、図１１の実施形態中の主装置プロセッサは、図１について上述したプロセッサと比べ僅かな違いをつけてプログラムされている。より具体的には、システム２３０には唯一つの従装置２３２しかないため、センドコマンドを受信した際には、全ての画像を単一の従装置２３２へ切り替えるようにプロセッサ８０がプログラムされている。
【００８２】
第２に、画像を従装置２３２に切り替える前に、画像識別番号を切り替え画像に追加するように、この実施例では、切り替え画像の左上隅に追加するようにプロセッサ８０をプログラムする。例えば図１１において、画像識別番号「６」と「７」はそれぞれ面２５０と２４８上に表示された画像に対応しており、従って、各画像をその後一意的に特定できるように識別番号６と７がそれぞれの画像に付け加えられている。
【００８３】
第３に、画像を従装置２３２に切り替える前に、その後のアクセスのため、プロセッサ８０は主装置メモリ８８中に画像とその画像の識別番号とを関連づけ記録する。図１１に示した上記例では、主装置プロセッサ８０（再度図３を参照）は、各々の画像が従装置２３２へ切り替えられるとき、識別番号６とともに面２５０上の画像を記録し、同様に識別番号７とともに面２４８上の画像を記録する。
【００８４】
更に図１１を参照すると、従プレゼンテーション装置２３２は図５に示した構成要素と同類の一部の構成要素又は一組の構成要素を備える大型プリンタ又は大型プロッターである。このため、装置２３２はプロセッサ３３６、モーター３３８、プリンタ３４０、大型の巻紙３４２及び送受信機２４０を備えている。装置２３２の場合、プロセッサ３３６はモーター３３８、送受信機２４０及びプリンタ３４０に接続されており、画像が装置２３２へ切り替えられると、プロセッサ３３６はモーター３３８とプリンタ３４０を同時に制御し、巻紙の一部を広げつつ、その広げられた巻紙部分が下方に降ろされる際にその巻紙の前面２５０にインクを塗布する。その画像を面２５０に表示するのに加えて、プリンタ３４０はその画像の左上隅に画像識別番号（例えば、図１１の「６」）を加える。
【００８５】
画像が印刷されたあと、装置２３２から巻出された巻紙の一部は、続けて見られるように、切り取って装置２３２の近くに貼り付けることができる。このため、少なくとも幾つかの実施形態では、レール４０はコルク板の前面を備えており、切り取ったシートをそのレールのトラックに沿って貼り付けるのに使用できる。図１１には、識別番号として数字「７」を付けた切り取りシートが、装置２３２の近くのレール４０に貼り付けられているものを例として示した。巻紙の長さに沿って一定間隔の位置にミシン目を設け、シートが綺麗に切り取れるようにしても良い。
【００８６】
図１１に示した実施形態において、主装置２８を介して従装置２３２により印刷された画像の一つを再表示するためには、図２及び図１１を参照すると、システムオペレータはキーパッド６７を使って再表示する画像に関する番号を選択し、次に読み出しキー６２を選択する。例えば、図１１のシート２３４上の画像を再表示するためには、オペレータは数字「７」と読み出しキー６２を選択する。再度図３を参照すると、キー６２が選択されたあと、主装置プロセッサ８０は画像識別番号「７」に対応するメモリ８８に記録された画像にアクセスし、ディスプレー４８にその画像を再表示する。いったん画像が再表示されると、その画像は変更でき、その上、印刷したり貼り付けたりするために再度従装置２３２へ切り替えることができる。
【００８７】
次に図１２を参照すると、図示したように本発明にかかる更にもう一つのシステム２５１である。ここで、システム２５１は主プレゼンテーション装置４８及び第１の従装置２５２ａと第２の従装置２５２ｂを備えている。図示した実施形態では、主装置４８は従装置２５２ａと２５２ｂの間のレール４０に取り付けられ、視聴者の側からみて装置２５２ａが主装置４８の左側に、装置２５２ｂが主装置４８の右側に来る。
【００８８】
主装置４８は上述の主装置と同様であるため、ここでは詳細に説明しない。従装置２５２ａと２５２ｂの各々は同じように構成され、同じような方法で操作するもので、このため、説明を簡単にするため、装置２５２ａだけをいくらか詳細に説明する。装置２５２ａは、硬質で、通常直線構成のプラスチック又は金属筐体２５８ａ、送受信機２５４ａ及び大型薄型プラズマ、ＬＣＤ又はその他の薄型ディスプレー画面２５６ａを備えている。また、装置２５２ａはプロセッサとそれに接続されたメモリも備えている。そのプロセッサとメモリのどちらも図示していない。従プロセッサはディスプレー２５６ａ、従送受信機２５４ａ及び従メモリに接続されている。
【００８９】
更に図１２を参照すると、画像が装置４８から従装置２５２ａに切り替えられると、その画像は装置２５２ａに無線で送信され、速やかにディスプレー２５６ａに表示される。上記実施例と同じように、画像が装置２８から切り替えられると、既存の紙パッド型のフリップチャートのシートをめくるのと似たものとなるように、装置２８は直ちに何も表示されていない状態にされる。ここで、画像が主装置２８から切り替えられると、その画像とその画像の切り替え先の従装置は主装置メモリ８８か従装置メモリの何れかに関連づけられ記録される。
【００９０】
従装置の一つによって表示された画像が読み出され、再度主装置２８に表示される場合、装置２８のキーボードは、画像を読み出す従装置を特定し、さらにその読み出し処理を実行するのに使用できる。この場合も、その読み出し処理は完全に装置２８の内部で行われ、そこでは従装置によって表示された画像が主装置のメモリ８８に記録される。また別の方法では、従画像が従装置のメモリに記録される場合に、その読み出し処理が、画像を読み出す為に主装置２８から従装置（例えば、図１２の２５２ａ）へ送る読み出しリクエストパケットを必要とし、その後、その従装置から主装置２８へ戻す第２のパケット送信を必要とするようにしても良い。
【００９１】
次に図１８を参照して、本発明の少なくとも幾つかの特徴に従った更に一つのシステム４７０を示す。システム４７０は、硬質の筐体アセンブリ４７２内に取り付けられたディスプレー４７４を有する唯一つのプレゼンテーション装置（同様に、数字４７０と表す）を備え、ディスプレー面４７５を視聴者が見られるようになっている。ここで、面４７５は通常プレゼンテーションの為に複数のサブ領域に分割されており、隣接領域４７６、４７８、４８０を有している。少なくとも幾つかの実施形態において、プレゼンテーション領域４７６、４７８、４８０の間に機械的な視線誘導標は無く、替わりに、これら個々の領域は面４７５に情報が表示されたときだけそのようなものとして認識できる。従って、例えば、図２３も参照すると、システム４７０はプレゼンテーション面領域４７６、４７８、４８０のそれぞれに画像を投写する前面プロジェクター装置４７１と、ディスプレー面４７５上の動作を検知するセンサアセンブリ４７３とを備えている。代替手段として、装置４７０は、個々の画像が領域４７６、４７８、４８０のそれぞれによって表示される平面パネルプラズマ、ＬＣＤ型ディスプレー又はその他の薄型ディスプレーであっても良い。
【００９２】
更に図１８を参照すると、４つのタッチセンシティブ指向矢印アイコン４８２、４８４、４８６及び４８８がプレゼンテーション面４７８の下に設けられている。切り替えアイコン４８４は、面４７８に表示された画像を矢印４９０で示したように面４７６に左側へ切り替えることを指示するのに選択できる。切り替えアイコン４８６は、面４７８に表示された画像を矢印４９２で示したように面４８０に右側へ切り替えることを指示するのに選択できる。同様に、矢印アイコン４８２は、左の面４７６の画像を矢印４９４で示したように面４７８に読み出して表示するよう指示するのに選択でき、また矢印アイコン４８８は、右の面４８０の画像を矢印４９６で示したように中央の面４７８に読み出して表示するように指示するのに選択できる。この場合、中央のプレゼンテーション面４７８は、上述の主装置が画像を編集したり、その画像を従装置へ切り替えたり、その画像を従装置から読み出したりするのに使用できるのと同じ方法で使用することができると考えられる。
【００９３】
図１９を参照して、電子装置であり、画面５２６を形成するプレゼンテーション画面５２４を有する平面パネル装置であるただ一つのプレゼンテーション装置５２２を有する図１８のシステムと類似のシステム５２０を示す。図１８の実施形態の場合と同じように、図１９では、システムオペレータによって（例えば、タッチペン、ユーザの指などによって）選択又は指定された面５２６上の位置を特定するために幾つかのタイプのセンサ構成要素（図示せず）を設けることが当然考えられる。システム５２０の場合、主プレゼンテーション領域５３０はその周りのボーダーライン又はアウトラインを設ける等により視覚的にはっきりと解る形で面５２６上に表される。図１９では、主領域５３０を面５２６の中央部分に通常配置するものとして示している。場合によっては、主領域５３０をはっきりさせるために見た目にもっと複雑な図画にしても良い。例えば、フリップチャートと似たようにしたいという要望に併せて、フリップチャートのようにした図画によって領域５３０を目立たせても良い。
【００９４】
更に図１９を参照すると、場合によって主領域５３０内に、主領域５３０から面５２６上の他の領域に画像を切り替えるのに使用できる制御アイコン５３６を設ける。
【００９５】
図示した実施形態において、画像が主領域５３０に形成されたあと、システムオペレータはタッチペンの先端をアイコン５３６に置き、画面５２６上の別の場所に画像をドラッグすることができる。ここで、画像が主領域５３０からドラッグされる際に、その主領域とそれを見た目にはっきりさせる特徴とを、そのもとの位置のまま面５２６上に残しておくことが考えられる。図１９では、以前に主領域５３０から切り替え又はドラッグされた１の画像に５２８が付けられ、矢印５４０で示したように領域５３０から切り替えられている第２の画像に５３２が付けられている。矢印５４２はオペレータがドラッキング処理するのに使用するタッチペンの先端を表している。
【００９６】
少なくとも場合によって、画像が領域５３０からドラッグされる際に、制御アイコンがその画像と一緒に動き、切り替えの後にその切り替えられた画像を面５２６のあちこちに動かせる。また、少なくとも幾つかの実施形態では、以前に切り替えられた画像は、その切り替えられた画像上の制御アイコンを選択し、かつ、その選択したアイコンをドラッキングして主領域５３０に戻すことで、主領域５３０に読み出すことができる。ここで以前に説明した実施形態と同じように、主領域を編集するソフトウェア及びソフトウェアスクリーンショットを表示することが考えられる。
【００９７】
次に図２０を参照して１つの主装置と２つの従装置を備えたもう一つの発明の実施形態５５０を示す。この主装置は主画面又はアセンブリ５５４及び主前面プロジェクター装置５６０を備え、一方、第１及び第２の従装置はそれぞれ、従画面５５２及び第１の従プロジェクター装置５５８、並びに第２の従画面５５６及び第２の従プロジェクター装置５６２を備えている。画面５５２、５５４及び５５６はそれぞれディスプレー投写面５６４、５６６及び５６８を備え、それらは全て同じ寸法で、視聴者や共同作業に参加しているグループが同時に見られるように各々並置されている。さらに、主アセンブリ５５４は、画面５５４の上端に沿って取り付けられたレーザセンサ装置５７０を備えており、面５６６上又はこれに近接したタッチペン、ペン、イレーサーなどの位置を検知する。
【００９８】
図２０では、プロジェクター装置５５８、５６０及び５６２が面５６４、５６６及び５６８のそれぞれに個々の画像を投写するため配置されている。主アセンブリ５５４は、画像を制御する上述したプロセッサと同類のプロセッサ、及び、一般的なシステムソフトウェア、より具体的には、見たり編集したりするために画像を切り替える作業のほか画像を主面５６６へ読み戻しするのを制御するシステムソフトウェアに接続されている（図示していない）若しくはこれらを備えている。
【００９９】
図２１を参照して特定の発明の特徴に従った別のシステム６００を示す。システム６００は１つの主プレゼンテーション装置６１０と３つの従装置６０４、６０６及び６０８を備えている。従装置６０４、６０６及び６０８の各々は図１、図４及び図５に関して上述した従装置と同様であり、そのためここで再度詳細に説明はしない。ここで、各従装置６０４、６０６及び６０８は、壁６０１に、より詳細には壁に取り付けたレール６０２に取り付けられ、主装置６１０からそこへ切り替えられた画像を受信し、従プレゼンテーション面（即ち、面６２２、６２４及び６２６）に受信した画像を表示することができる。
【０１００】
各々の装置６０４、６０６、６０８は壁に取り付けられているが、主装置６１０は移動可能で床に置かれたイーゼル型アセンブリであり、内部領域６１４と一つ以上の棚部材６１６を有するイーゼル構造（同様に、数字６１０で表される）を備えている。図示した実施形態では、キャスター６１８（番号を付けたのは二つだけ）がイーゼル構造６１０の底端に取り付けられており、施設内を移動するのに役立つ。コンピュータプロジェクターやその他のシステム構成要素は領域６１４内の棚６１６に置くことができる。装置６１０は、主画像を表示したり、画像を変更したり、一般に共同作業をすすめたりするための主プレゼンテーション面６１２を備えている。上記の実施形態と同じように、画像を読み出したり他の画像管理機能を実行したりするために、主画像を従装置へ切り替える画面上で選択できるアイコンを面６１２に設けても良い。ここで、画面６１２は、プラズマ画面、リアプロジェクターを領域６１４内に設けたリアプロジェクション型画面、フロントプロジェクション型画面などを含む様々な形態を採用できる。
【０１０１】
次に図２４を参照して本発明の他の特徴に従った更にもう一つのシステム７００を示す。システム７００は複数の移動可能なプレゼンテーション装置７０２、７０４、７０６、７０８、７１０及び７１２を備えている。各々の装置７０２、７０４、７０６、７０８、７１０及び７１２は同じように構成され及び同じような方法で操作するものであり、よって、この説明を簡単にするため装置７０２だけを詳細に説明する。装置７０２は移動可能なディスプレースタンド７１６の上部に取り付けられた平面パネル電子ディスプレー画面７１４を備えている。キャスター７１８がスタンド７１６の下部に設けられ、装置７０２の移動の手助けをする。例えば、装置７０２は様々な異なる会議室で使用することができ、時には個人事務所内で使用し、またある時には会議場で使用するなどとできる。本明細書には図示していないが、電子ディスプレー７１４がこのディスプレー７１４の前面上又はこれに近接して行う作業をトラッキングするためのトラッキングシステムを備えていることが考えられる。従って、例えば上述のように、ペン、イレーサー又はその他の電子型装置をディスプレー７１４に表示された情報を変更又は選択するのに使用する場合、そのペン又はイレーサーの動きが検知されて、ディスプレー７１４に表示された情報を変更又は選択させる。装置７０２が情報を他の装置７０４、７０６、７０８、７１０及び７１２に送信でき、またこれら他の装置から情報を受信することができるような他の実施形態について上述した送受信機と同類の無線送受信機（図示せず）を装置７０２に備えることが考え得る。この実施形態において、装置７０２、７０４、７０６、７０８、７１０及び７１２の何れの装置も主装置として使用でき、かつ、残りの何れの装置も又はその一部を従装置として使用できる。
【０１０２】
次に図２８を参照して、本発明の少なくとも幾つかの特徴に係る更にもう一つのシステム８００を示す。システム８００は比較的幅広のディスプレー画面又は面８０２、２つのビデオ型プロジェクター８０４と８０６、１つの移動可能な平面パネルディスプレープレゼンテーション装置８０８、棚取り付け型のプロセッサ８１０、ローカルエリアネットワーク（ＬＡＮ）８１２、無線アクセスポイント８１４、ＤＶＤ／ＶＣＲ８１８及びスキャナー／プリンタ８１６を備えている。移動可能なプレゼンテーション装置８０８は、図２４について上述したプレゼンテーション装置と同様であり、従ってここでは再度詳細に説明しない。ここでは、装置８０８が移動可能なカート型装置（番号を付与していない）の上部に取り付けられ、アクセスポイント８１４に情報を送信しかつアクセスポイントから情報を受信する無線送受信機８３６を備える平面パネルディスプレー画面８３８を有していることを説明すれば十分であろう。
【０１０３】
棚取り付け型プロセッサ８１０はＬＡＮ８１２を介してアクセスポイント８１４に接続され、装置８０８との通信のため情報をそのアクセスポイントから受信し、また情報をそのアクセスポイントへ送信する。また、プロセッサ８１０はＤＶＤ／ＶＣＲ８１８やスキャナー／プリンタ８１６に有線接続されているほか、プロジェクター装置８０４及び８０６のそれぞれにも有線接続されている。プロジェクター装置８０４は、通常、面８０２の左半分に情報を投写するように構成され、一方、装置８０６は、通常、面８０２の右半分に情報を投写するように配列構成される。更に具体的には、装置８０４は、面８０２の左半分上で隣接領域８２０と８２２が並んだ形で２つの画像を投写するように構成され、一方、装置８０６は、画像を隣接する第３の領域８２４と第４の領域８２６に分け、通常、面８０２の右半分上に投写するように構成される。情報を含む画像又はブランク画像のどちらを領域８２０と８２２に投写しているときでも、装置８０４は画像識別子をもその領域に投写し、識別子１及び２を有する図２８中の画像識別子にそれぞれ８２８及び８３０を付している。同じように、装置８０６は番号８３２と８３４を付した識別子３と４を領域８２４及び８２６に投写している。数字１、２、３及び４はシステム操作中に領域８２０、８２２、８２４及び８２６を互いに区別するのに使用される。少なくとも幾つかの構成において、プロセッサ８１０が装置８０８並びにプロジェクター８０４及び８０６の各々を駆動し、こうしてディスプレー／表示される全ての画像を制御する。これらの構成では、装置８０８は単なるインタフェースであり、切り替え／読み出し処理はプロセッサ８０８によって実行される。例えば、画像が装置８０８から領域８２２へ切り替えられるときには、装置８０８は「切り替え」コマンドをプロセッサ８１０に送信し、プロジェクター８０４が画面８３８からの画像を領域８２２に順次表示させるようにする。領域８２２からの画像が読み出されるときには、読み出しコマンドがプロセッサ８１０に送信され、順次読み出し画像を装置８０８へ戻し表示される。
【０１０４】
更に図２８を参照すると、制御アイコンが移動可能な装置のディスプレー画面８３８の下部近辺に設けられている。制御アイコンは領域選択アイコン８４２、８４４、８４６及び８４８、読み出しアイコン８４０、並びにセンド又は切り替えアイコン８５０を備えている。領域選択アイコン８４２、８４４、８４６及び８４８のそれぞれは領域ラベル１、２、３及び４を有し、そのラベルは領域８２０、８２２、８２４及び８２６に付された、それぞれ８２８、８３０、８３２及び８３４で特定されたラベルの一つと一致する。操作中に画像を画面８３８から領域８２０、８２２、８２４及び８２６の一つに切り替えるためには、ユーザは単にその領域選択アイコン８４２、８４４、８４６及び８４８の一つを選択し、次に切り替えアイコン８５０を選択する。例えば、画像を画面８３８から面８０２上の領域８２２へ切り替える為には、ユーザはただ領域選択アイコン８４４と、それに続いて切り替えアイコン８５０を選択するだけである。同様に、画像を領域８２０、８２２、８２４及び８２６の一つから読み出す為には、ユーザはただ対応する領域選択アイコン８４２、８４４、８４６及び８４８と、それに続いて読み出しアイコン８４０を選択するだけである。
【０１０５】
更に図２８を参照すると、画像を画面８３８から切り替える場合、情報は送受信機８３６を介して移動可能な装置８０８からアクセスポイント８１４へ送信され、更にＬＡＮ８１２を通ってプロセッサ８１０に送信される。その後プロセッサ８１０は関連するプロジェクター装置８０４及び８０６の一方を制御して対応する領域８２０、８２２、８２４及び８２６の一つに投写された画像を更新する。画面８３８によって読み出しアイコン８４０が選択されると、装置８０４及び８０６の一方によって投写された関連する画像の一つを画面８３８に読み出し表示するよう要求する情報が、アクセスポイント８１４及びＬＡＮ８１２を介してプロセッサ８１０へ送信される。この実施形態では、会議中に以前表示された画像はプロセッサ８１０によって関連するメモリに記録される。また、少なくとも幾つかの実施形態では、移動可能な装置８０８に現在表示されている画像だけを装置８０８のメモリ内に記録される。
【０１０６】
再度図２８を参照すると、装置８０８並びに領域８２０、８２２、８２４及び８２６により画像を表示するのに加えて、少なくとも幾つかの実施形態では、装置８１８により再生されたＤＶＤｓやＶＣＲｓを画面８３８又は投写領域の一つに表示しても良い。また、画像が画面８３８に表示されている間に、画面８３８の領域選択アイコンのちょうど上に設けられた印刷アイコン８７０を選択すると、プロセッサ８１０は現在の画面８３８の画像をスキャナー／プリンタ８１６によって印刷させる。ここで、画面８３８によって表示するため又は情報を修正するためにスキャナー８１６によって情報をスキャンすることができる。画像がスキャンされると、プロセッサ８１０はＬＡＮ８１２及びアクセスポイント８１４を介して装置８０８へ表示するため画像を送信する。
【０１０７】
次に図１３から図１６を参照して、本発明の特定の特徴を有する様々な方法及びサブの方法を示す。ここで記載した各々の方法は、上述のシステム又はそのバリエーションの少なくとも一つ、場合によって二つ以上、又はその全てで使用できる場合もある。
【０１０８】
特に図１３を参照して、画像を主装置２８から従装置へ切り替える方法２７０を示す。また、図１から図５を参照して、方法２７０をシステム１０との関連で説明する。ブロック２７２から開始すると、システムオペレータは部屋１１内の視聴者に見せる主装置及び従装置又はデバイスを配置する。ブロック２７４では、主ディスプレー４８に情報が表示される。ブロック２７６では、装置２８に現在表示される画像を従プレゼンテーション装置２２ａと２２ｂの一方へ切り替えるコマンドを検知するため、プロセッサ８０がキーボード３０などの入力装置、ＨＨＤ２００により生成される無線制御信号などをモニタする。判定ブロック２７８では、切り替えコマンドが受信されていない場合には、制御ループがブロック２７４へ戻り、前述の方法が繰り返される。ブロック２７８において、切り替えコマンドを受信したあとは、制御ループがブロック２８０へ進み、主装置４８は主画像（主装置の画像）を画像データパケットの一部として選択した従装置へ送信する。ブロック２８２では、上述した何れかの方法で、受信した画像を選択した従装置に表示する。
【０１０９】
次に図１４を参照して、図１３中のブロック２８０と２８２を置き換えるのに使えるサブの方法２８４を示す。この方法では、切り替え画像と画像識別子とを関係づけ、主装置２８によって画像を後で再アクセス、再表示、及び編集できる。このために、サブの方法２８４は、従装置により生成される画像に唯一の画像識別子を割り当て、その上、画像が生成される際にその従装置がその画像に画像識別子を付け加える（例えば印刷する）システムで使用することができる。従って、サブの方法２８４は図１１のシステム２３０に照らして説明する。
【０１１０】
図２、図３、図１１、図１３及び図１４を参照すると、主装置２８から従装置２３２への切り替えがブロック２７８において指示されたあと、制御ループは図１４のブロック２８６へ進む。ブロック２８６において、主画像は特定の画像識別番号（例えば図１１に示したような「６」か「７」）と関連付けされる。ブロック２８８において、主プロセッサ８０はこの関連付けした画像と画像識別番号とを主メモリ８８に記録する。ブロック２９０において、主装置２８は主画像を選択した従装置へ送信する。ブロック２９２において、この選択された従装置はこの送信された画像を画像識別番号と共に表示する。従って、例えば図１１では、従装置２３２は面２５０に画像を生成し、かつ、その左下隅に画像識別番号「６」を加える。この段階で画像切り替えが完了する。
【０１１１】
続いて、ブロック２９４において、画像切り替えが完了した後、主プロセッサ８０は特定の識別番号と関連のある画像の読み出し要求をモニタする。例えば、識別番号「７」が図１１に示したシート２３４上の画像に付与されている場合には、システムオペレータは番号「７」を入力しかつ読み出しキー６２（再度図２を参照）を選択することで、シート２３４上の画像を読み出す指示をすることができる。ブロック２９６において、読み出し要求が無い場合には、制御ループはブロック２９２及び２９４を遡って戻る。ブロック２９６において読み出しコマンドが受信された後は、制御はブロック２９８へ進み、主プロセッサ８０はオペレータによって入力された識別番号と関連のある画像にアクセスし、さらに、ブロック３００において、主装置２８は主ディスプレー４８によってその関連のある画像を再表示する。
【０１１２】
次に図１５を参照して、図１の実施形態の場合と同じように、各々の従装置が特定の従装置識別子によって識別することのできるフリップチャート画像を管理する方法３３０を示す。このことを実現するために、図１では、従装置２２ａは数字「１」で一義的に特定され、同時に装置２２ｂは数字「２」で特定される。図１、図２、図３及び図１５を参照すると、ブロック３３４において、従識別子（例えば２４ａ、２４ｂなど）が各従装置のディスプレー装置に付与され、また、その従識別子は、これに対応するその従装置の無線ネットワークアドレスと何らかの方法で関連づけられる。この関連づけられた従識別子とネットワークアドレスは主装置メモリ８８に記録される。ブロック３３２において、主装置２８及び従プレゼンテーション装置２２ａと２２ｂは視聴者が見られるように部屋１１内に配置される。
【０１１３】
ブロック３３６において、主ディスプレー４８に画像が表示され及び／又は処理される。ブロック３３８において、主装置プロセッサ８０は現在表示された画像を従プレゼンテーション装置の一つへ切り替えるよう指示する切り替えコマンドをモニタする。ブロック３４０において、切り替えの指示が無い場合には制御ループはブロック３３６と３３８を遡って戻る。ブロック３４０において一旦切り替え指示されると、制御がブロック３４２へと進み、そこで主画像がオペレータによって特定される従識別子（即ち、その画像を切り替える従装置のＩＤ）と関連づけされる。
【０１１４】
ブロック３４４において、主プロセッサ８０はその関連づけした画像と従識別番号をメモリ８８に記録し、また、ブロック３４６において、主プロセッサ８０は主画像を従装置へ送信する。ブロック３４８において、その従装置はこの受信した画像を表示する。
【０１１５】
ブロック３５０において、主プロセッサ８０は画像を読み出すべき従装置に対応する特定の従識別子を指定する読み出し要求をモニタする。ブロック３５２において、読み出しコマンドが受信されていない場合には制御がブロック３４８まで戻り、上述の制御ループが繰り返される。ブロック３５２において、読み出しコマンドが受信された後、制御はブロック３５４へと進み、そこでプロセッサ８０は主メモリ８８中の従識別子に対応する画像にアクセスする。ブロック３５６において、プロセッサ８０は主ディスプレー４８にその対応する画像を再表示する。
【０１１６】
次に図１６を参照して、図１３から図１５に関して上述した何れかの方法と並行して主装置プロセッサ８０によって実行できる方法３６０を示す。方法３６０は、会議ストアコマンドが受信された際に現在表示されている画像と特定のプレゼンテーション装置とを関連づけ、その関連づけた画像と装置識別子を後のアクセスのために記録し、その上、レジュームコマンドが受信された際に、その会議ストアコマンドが受信されたときにそれと関連のあるプレゼンテーション装置によって画像を再表示するための方法である。例えば図１を参照して、ストアキー６０が選択された際、コラボレート会議の間に第１、第２及び第３の画像がそれぞれ装置２２ａ、２２ｂ及び主装置２８によって表示されると仮定する。ここでキー６０が選択されると、第１、第２及び第３の画像はそれぞれ装置２２ａ、２２ｂ、及び２８に付与される装置識別子と関連づけされ、その関連づけたデータは画像セットとして主メモリ８８に記録され、その後、装置２２ａ、２２ｂ及び２８のプレゼンテーション面はクリアされる。続いて、オペレータがその記録された画像セットに対応する会議を再開するとき、プレゼンテーションのため、プロセッサ２８は第１と第２の画像をそれぞれ従装置２２ａと２２ｂに切り替え、会議を中断したところから続けられるように第３の画像をディスプレー４８に表示する。
【０１１７】
図１、図２、図３、及び図１６を参照すると、ブロック３６２において、画像が主ディスプレー４８並びに従装置２２ａ及び２２ｂの各々に表示される。ブロック３６４において、プロセッサ８０はストアキー６０が選択されることをモニタする。ブロック３６６において、ストアキー６０が選択されていない場合、制御がブロック３６２まで戻る。ブロック３６６において、一旦ストアキー６０が選択されると、制御がブロック３６８へ進み、そこでプロセッサ２８は主ディスプレー４８の画面を消去し、かつ、各従装置（例えば２２ａ、２２ｂなど）に信号を送信して従装置の各々にそれらのプレゼンテーション面を消去させる。ここで、プレゼンテーション面が消去されている間、そのプレゼンテーション面の画像に対応するデータは主メモリ８８又は主メモリと従メモリ（例えば図５の１１９）に保持される。
【０１１８】
次に、ブロック３７１において、プロセッサ８０がオペレータに対してその後会議画像にアクセスするのに使用される会議識別子を要求する。例えば、プロセッサ８０は会議識別子領域、及び主ディスプレー４８によって会議画像セット名を入力するようオペレータに促すクエリを設ける。また、テキスト形式の会議識別子が好ましい場合には、プロセッサ８０が全アルファベットのキーボードを有する選択可能なタッチアイコンをディスプレー４８に設けても良く、また別の手段として、会議識別子領域に手書きしたものが認識できるようにしても良い。ブロック３７１において、会議識別子を要求する替わりに、プロセッサ８０が単にランダムアクセスコードを会議画像セットに割り当て、ディスプレー４８によって一時的にオペレータにそのコードを与えるようにしても良い。
【０１１９】
ブロック３６９において、プロセッサ８０は画像セット中の各画像と特定のプレゼンテーション装置識別子（即ち、主装置２８の一つ又は従装置（例えば２２ａ、２２ｂなど）の一つに一意に定まる識別子）とを関連づける。ブロック３７０において、画像の各々を主装置識別子や従装置識別子の特定一つと関連づける会議画像セットを、会議識別子とともに主メモリ８８に記録する。ブロック３７０のあと、全ての会議画像が将来参照するためにアクセス可能な形式で記録される。
【０１２０】
次に、ブロック３７４において、主プロセッサ８０は、以前のコラボレート会議を再開すべきこと、それ故に記録された画像セットを再アクセスして表示すべきことを指示するレジュームアイコン５６が選択されるのをモニタする。ブロック３７６において、レジュームコマンドが受信されない場合には、制御はブロック３７４まで戻る。ブロック３７６において一旦レジュームコマンドが入力されると、制御はブロック３７７へ進む。
【０１２１】
ブロック３７７において、主プロセッサ８０は以前に記録した画像セットに対応する会議識別子をシステムオペレータに入力するように促す要求をする。ここで、この促すことのために、識別子を特定するための適切な１セットのタッチアイコン（例えば、番号、アルファベットなど）に加えテキストクエリと会議識別子領域を設けても良い。
【０１２２】
ブロック３７８において、入力された会議識別子と関連のある画像セットがメモリ８８から読み出され、ブロック３８０において、中断したところから以前の会議を続けることができるように、この画像セット中の画像が主装置及び従装置に表示される。ブロック３８０の後、制御はブロック３６２まで戻り、上述した処理が続く。
【０１２３】
あとでアクセスするためにシステムプレゼンテーション装置に同時に表示される画像のセットを記録するのに加えて、本発明の少なくとも幾つかの実施形態では、画像を従装置に切り替えるか否かに関係なく、記録するため及び後でアクセスするために、個々の画像を選択することも考えられる。例えば、再度図２及び図３を参照すると、少なくとも場合によって、１度ストアキー６０が選択されると、ディスプレー４８に現在表示される画像を記録するようにプロセッサ８０がプログラムされ、連続して２度ストアキー６０が選択（例えば、マウスのダブルクリックと同様の操作）されると、会議画像の全表示を画像セットとして記録するようプログラム８０がプログラムされる。ある場合には、後でアクセスするためにただ一つの画像が記録される場合、画像を記録するときに行われているコラボレート会議と関連のある会議セットにこれらの画像を加えても良い。また別の案としてある場合には、ただ一つの画像が記録される場合に、会議画像セットを記録することについて上述したものと同様に、後で画像を再アクセスするのに使用できる特定のテキスト又は数字の画像識別子をシステムオペレータに要求する処理をプロセッサ８０が実行するようにしても良い。
【０１２４】
更に図２及び図３を参照すると、画像が個別に記録される場合に読み出しキー６２が選択されると、画像は主メモリか従プレゼンテーション装置の一つから読み出すことができるため、画像を読み出せる可能性のある情報源とともにこれら画像にアクセスするための適切なツールを示すオプションメニューをプロセッサ８０が表示するようにしても良い。
【０１２５】
図１７を参照すると、主プレゼンテーション装置５２８は下端領域５３０に一組のタッチアイコンを備えている。ここでレジュームアイコン５６、センドアイコン５８、ストアアイコン６０及び読み出しアイコン６２のほかそれぞれ左切り替えアイコン６８及び右切り替えアイコン７０はそれぞれ、図２で同じ番号を付したキーに関し上述した機能と同様の機能を有し、従って、この説明を簡単にする為ここで再度詳細には説明しない。装置５２８に設けたアイコンセットと装置２８に設けたキーセットの主な差異は、図２中のキーパッド６７を図１７中のサムネイル・画像バー４５０に置き換えたことである。ここで、画像が主装置５２８から従装置の一つに切り替えられるたびに、バー４５０に切り替え画像のサムネイルを表示することが考えられる。図１７では、２つの例示のサムネイルの画像が数字４５２と４５４で特定されている。ここでシステムオペレータは、従装置の一つに表示されている画像を主ディスプレー４８に再表示するため、特定の従装置を特定する若しくは画像にアクセスするため画像に与えられた画像識別子を特定する替わりに、ディスプレー４８によって画像を再表示する為にサムネイル画像（例えば、４５２、４５４など）の一つ及び読み出しアイコン６２を単に選択するだけで良い。
【０１２６】
少なくとも幾つかの場合において、システムオペレータがコラボレート会議を終了して対応するサムネイル画像（例えば４５２、４５４など）がバー４５０に加えられるまで、主装置から従装置の何れかに切り替えられる全画像を主メモリ８８内に記録保持することが考えられる。ここで、長いコラボレート会議の場合に良くあるが、切り替え画像の数が従プレゼンテーション装置の数を超える場合でも、システムオペレータは、従装置に画像が現在表示されているか否か又は画像が単に主メモリに記録されているか否かに関係なく、全切り替え画像を速やか且つ容易にアクセスすることができる。アイコン６４及び６６は左スクロールアイコン及び右スクロールアイコンであり、それによりオペレータは画像によって特定の画像を再表示する為に多数のサムネイル画像を探すことができる。場合によっては、全切り替え画像に加え、切り替えられていない全記録画像も主メモリ８８に記録し、選択可能なサムネイル画像としてバー４５０中に表示することも考えられる。
【０１２７】
再度図２４を参照すると、少なくとも幾つかの発明の実施形態において、複数のプレゼンテーション装置が利用でき、このプレゼンテーション装置の何れかが主装置又は従装置のどちらかとして機能する場合に、システムユーザが一揃いの多数の装置から一つの装置を主装置と特定し、残りの一部の装置を従装置として働くよう選択するのを速やかに促し、主装置と選択された従装置とを関連づけ、及び主従装置間で画像を切り替えるツールを設けるのをソフトウェアで実行する方法もある。このために、再度図２４を参照すると、この実施例では、プレゼンテーション装置７０２、７０４、７０６、７０８、７１０及び７１２は、例えば、個人事務所、会議室、カフェテリアなどへの通路や入口といった公共空間など様々な目的で使用できると考えられる。このために、一の場所から別の場所へ容易に移動できるように装置の各々にはキャスター付きスタンド７１６の上部に取り付けられた平面パネルディスプレー７１４を備えている。会議の進行を促すために二つ以上の装置が同時に使用され、そこで装置の一つを主装置、その他の装置又は複数の装置を従装置として使用する場合、互いに関連があり、会議の進行を促すアプリケーションを実行できる様々な装置が会議場に運ばれることが考えられる。
【０１２８】
次に図２５を参照して上述の処理に関する方法７３０を示す。また図２４を参照すると、ブロック７３２において、各々が特定の無線アドレスを有する様々なディスプレー装置（例えば７０２、７０４、７０６、７０８、７１０及び７１２）が設けられる。例えば、ディスプレー装置７０２は無線アドレス００４２５Ａ１、装置７０４は無線アドレス５４４７８Ｂ１、装置７０６は無線アドレス８９９０８Ｂ１などを有している。処理ブロック７３４において、幾つかのディスプレー装置が会議場（図２４参照）に運ばれる。
【０１２９】
処理ブロック７３６において、システムオペレータは会議場の各々の装置を作動させると共に、その装置の一つを主装置として使用するよう指示する。このために、図２４に示したように、少なくとも幾つかの実施形態では、装置の一つ（例えば７０２）を作動させるときは常に装置のディスプレー（例えば７１４）に情報（即ち、初期インタフェース）が表示され、システムオペレータに主装置として装置を選択する方法を指示する。この際、ディスプレー７１４によって装置７０２を主装置に指定する選択可能なマスターアイコン７２２と共に指示７２０が表示される。同様の指示及びマスターアイコン（例えば７２４参照）が各々の装置７０４、７０６、７０８、７１０及び７１２に表示される。オペレータが装置の一つを主装置に指定すると、デフォルト設定によって、会議場のその他の装置が従装置に特定できる。本実施例では、オペレータがディスプレー７１４によってマスターアイコン７２２を選択することは装置７０２を主装置と指定するものであると判断する。
【０１３０】
続いてブロック７３６においてオペレータが主装置として装置７０２を選択した後、装置７０２は無線で会議場をポーリングし、会議場内の他のプレゼンテーション装置７０４、７０６、７０８、７１０及び７１２を特定する。各々の装置７０４、７０６、７０８、７１０及び７１２は、各装置自らが従装置になり得る可能性があると認定するよう要求するポーリング信号を受信すると、各装置７０４、７０６、７０８、７１０及び７１２は、その特定の無線ネットワークアドレスによってその従装置を指定する情報パケットを送信して主装置７０２へ戻す。例えば、上記例示したアドレスに従えば、装置７０４は特定アドレス５４４７８Ｂ１を含む情報パケットを送信し、装置７０６は特定アドレス８９９０８Ｂ１を含む情報パケットを送信する等である。装置７０２が従装置となる可能性のある装置から戻り情報パケットを受信すると、装置７０２は従装置となる可能性のある装置の各々を特定し、特定単一の識別子を従装置の各々と関連づけ、更に環境設定処理を進める。このために本実施例では、主装置７０２が５つの個々の従装置７０４、７０６、７０８、７１０及び７１２を特定し、それらとそれぞれ単一の識別子１、２、３、４及び５とを関連づける。
【０１３１】
更に図２５とともに図２６をも参照すると、ブロック７３８において、５つの従装置を特定したのち、主装置７０２はそれぞれに単一の識別ラベルを割り当てた情報パケットを送信して５つの従装置７０４、７０６、７０８、７１０及び７１２の各々に戻す。本実施例では、その識別ラベルは番号１、２、３、４及び５を有し、それらはそれぞれ装置７０４、７０６、７０８、７１０及び７１２へ送信される。従装置が単一の識別ラベルを受信すると、その装置はそのディスプレー画面にそのラベルを表示する。図２６では、その表示される単一ラベルを７５２、７５４、７５６、７５８及び７６０で示す。
【０１３２】
また更に図２５及び図２６を参照すると、ブロック７３８において、主装置７０２はその上部近くに示したマスターラベル７５０を有する環境設定インタフェースと、会議の進行を促すため主装置７０２とつないで使用する会議場内の従装置の一部を選択するための指示７８０と、従装置７０４、７０６、７０８などの各々と関連のある単一のラベル（例えば７５２、７５４など）に対応するアイコンとを有している。例えば、アイコン７６２はラベル７５２と、即ち従装置７０４と関連がある。同じように、アイコン７６６、７６８、７７０及び７７２はそれぞれラベル７５４、７５６、７５８及び７６０と、即ち従装置７６６、７６８、７７０及び７７２と関連がある。また、Ｅｎｔｅｒアイコン７７４は主装置ディスプレーの底近くに設けられる。ここで指示７８０に従うと、アイコン７６２、７６６、７６８、７７０及び７７２の一部を選択し、次にＥｎｔｅｒアイコン７７４を選択することで従装置７０４から７１２の一部を選択することができる。例えば、会議の間主装置７０２と同時に使用する装置として従装置７０６、７０８及び７１０を選択するには、オペレータはアイコン７６６、７６８及び７７０を選択し、次にＥｎｔｅｒアイコン７７４を選択する。従装置の一部を指定する作業をモニタする処理を図２５のブロック７４０及び７４４に示す。
【０１３３】
処理ブロック７４４においていったんＥｎｔｅｒアイコンが選択されると、主装置７０２はマスターラベル７５０の表示を有する制御インタフェースを与え、かつ、主画像を選択した従装置の一部に切り替えるのに適しており、さらに選択した従装置の一部から画像を読み出すのに適するアイコンを与える。このために、図２７を参照すると、主装置７０２は選択した一部の従装置７０６、７０８及び７１０の各々に対して個別の切り替え／読み出しアイコン７８２、７８４及び７８６をそれぞれ与える。この切り替え／読み出しアイコン７８２、７８４及び７８６は同じであり同じ方法で機能する。よって、この説明を簡単にするため、ここではアイコン７８４のみを詳細に説明する。アイコン７８４は切り替え矢印アイコン７６９及び読み出し矢印アイコン７７１を有する。切り替えアイコン７６９が選択されると、主ディスプレーに現在表示の画像はアイコン７８４（即ち、単一のラベル７５４が付された装置７０８）と関連のある従装置７０８へ切り替え又は送信される。同様に、読み出し矢印アイコン７７１が選択されると、従装置７０８に現在表示の画像は主ディスプレー装置７０２に読み出され表示される。終了アイコン７８８は現在の会議の進行を終了するために設けられている。
【０１３４】
当然のことながら、電子ディスプレーを複数使用することで、個々に使用したりつなげて使用したり多様な形の構成にすることができる。また、ディスプレーが無線通信を備えている場合には、ソフトウェアによってディスプレーの設定処理を効率化することもできる。
【０１３５】
次に図２９を参照して本発明の特定の実施形態の少なくとも幾つかの特徴に従った更にもう一つのシステム８９０を示す。さらに図２８を参照すると、システム８９０は、図２８について上述したシステム８００とそれぞれ類似した第１のサブシステム９００と第２のサブシステム９０１を備えている。従って、各々のシステム９００と９０１は、移動可能な主プレゼンテーション装置、第１及び第２のプロジェクター装置、ディスプレー画面、棚取り付け型のプロセッサ、ローカルエリアネットワーク及び無線アクセスポイントを備えており、図２９ではそのいずれにも別個に番号を付していない。図２８に示した実施形態と同じように、各々のプロジェクターはディスプレー画面に２つの別個の画像を投写するよう構成されている。例えば図２９では、サブシステム９００のプロジェクターの一つは第１と第２の別個の画像を第１と第２の別個の領域９０４と９０６に投写し、またサブシステム９０１のプロジェクターの一つは第１と第２の画像をそれぞれ第１と第２の領域９０３と９０５に投写する。図２９では、上述の構成要素に加えて、ローカルエリアネットワークがワイドエリアネットワーク（ＷＡＮ）９２０を介してつながっている。
【０１３６】
更に図２９を参照すると、少なくとも幾つかの形態では、システム９０１をシステム９００から離間して配置し、その何れかの移動可能なプレゼンテーション装置を主プレゼンテーション装置として使用できると考えられる。また、少なくとも幾つかの用途では、システムユーザがプレゼンテーションを行うためにその主プレゼンテーション装置の一方を使用する際に、それに対応するサブシステムで行う全ての作業をもう一方のサブシステムでも再現するようにすることも考えられる。例えば、システムユーザが主画面９０２の情報を変更するとき、ほぼリアルタイムで、これら変更を離間配置の主プレゼンテーション画面９０７に再現する。さらに、システムユーザが画像を主プレゼンテーション領域９０２から従プレゼンテーション領域（例えば９０４、９０６など）の一つに切り替える際、この切り替え作業もまたシステム９０１で再現される。例えば、システムユーザが画像を領域９０２からシステム９００の領域９０４に切り替える場合、同じ画像が領域９０７からサブシステム９０１の領域９０３に切り替えられる。同様に、システムユーザが画像を読み出して領域９０６から主プレゼンテーション領域９０２へ戻す場合、領域９０５からの画像も読み出されてサブシステム９０１の主領域９０７へ戻る。
【０１３７】
更に、少なくとも幾つかの実施形態では、主プレゼンテーション領域９０７の画像を変更する作業は自動的かつほぼリアルタイムで、主プレゼンテーション領域９０２の同じ画像も変更する。同様に、少なくとも幾つかの実施形態では、領域９０７による画像の切り替えや読み出しも、サブシステム９００で同じ作業を行うことで反映される。
【０１３８】
次に図３０を参照して本発明の少なくとも幾つかの特徴を有する実施形態に従った別の実施形態９５０を示す。さらに図２８を参照すると、システム９５０が移動可能な主プレゼンテーション装置９５１、ディスプレー画面９５３、並びに第１及び第２のプロジェクター９６４及び９６６を備えている点で、システム９５０はシステム８００と同様である。説明を簡単にするため、図２８に示した他の構成要素は図３０には示していない。図３０のシステムと図２８に示したシステムの主な差異は、装置９５１が矢印９５７で示したように図３０に示した縦長面から図３１に示した横長面に回転できる平面パネルディスプレー９５５を備えていることである。ここで、少なくとも実施形態によっては、ディスプレー９５５を縦長方向から横長方向へ回転する際、少なくとも２つの変更が機械的に生じると考えられる。一つ目は、投写する従画像の数が装置９５５の方向によって決まる。このため少なくとも幾つかの実施形態では、ディスプレー９５５が図３０に示したように縦長方法にある場合、各プロジェクター９６４及び９６６は２つの別個の隣接画像を投写するようにプログラムされる。例えば、図３０に示したように、プロジェクター９６４は第１と第２の画像を隣接領域９５６と９５８に投写し、また、プロジェクター９６６は第１と第２の画像を隣接領域９６０と９６２に投写して、そこでの投写画像の各々が縦長書式を有する。図３１を参照すると、装置９５５を横長方向に回転すると、プロジェクターを駆動するプロセッサは、プロジェクター９６４と９６６の各々がただ一つの横長画像を投写するように自動的に再設定し直すようにプログラムされる。図３１では、プロジェクター９６４は第１の横長画像を横長領域９８０に投写し、プロジェクター９６６は第２の画像を横長領域９８２に投写する。
【０１３９】
二つ目は、ディスプレー９５５を縦長方向から横長方向に回転すると、ディスプレー９５５に表示された制御アイコン９５４は、一つ目の従プレゼンテーション領域に行われた変更に応じて、ディスプレー９５５の表示位置内において制御アイコン９５４をより好適な方向に向けるように変更される。このため図示したように、図３０では４つの従領域選択アイコンを示しているが、図３１ではただ２つの従領域選択アイコンを示しており、この個々一つ一つ従領域選択アイコンは従領域９８０と９８２それぞれの一方に対応している。上述のことから、多様な修正や変更が本発明の新規な概念の精神及び範囲を逸脱することなく行えることが解るであろう。当然のことながら、本開示は本発明の例示を意図するものであり、図示した特定の実施形態に本発明を制限することを意図したものではない。本開示は添付の特許請求の範囲によって、特許請求の範囲に含まれる全ての変更を担保することを意図するものである。例えば、主装置２８が単なるカメラを備えた既存のホワイトボードで、画像を主装置から従装置の一つに切り替える際に、カメラが主装置に表示された画像の写真を撮り、その画像をプレゼンテーションのために選択した従装置に送るようにしても良い。
【０１４０】
また、ここで記載した全てのプレゼンテーション装置は壁に取り付けたレールにプレゼンテーション装置を取り付ける取り付け部材を備えているが、このプレゼンテーション装置を支持する別のタイプの構造も当然考えられる。例えば、主装置２８はイーゼル型のアセンブリで支持しても良いし、或いは、施設内を装置が容易に移動できるようにキャスターが付いたカート取り付け型アセンブリとしても良い。
【０１４１】
更に、簡単なイレーサーとプリンタを上述したが、当然、様々なタイプのプリンタやイレーサーが考えられ、本発明の様々な実施形態で使用することができる。ある場合には、例えば、従プレゼンテーション面を硬質のホワイトボード部材とし、上述のプリンタをプロッターとしてプレゼンテーション面に沿って又はその面に対して動かす（即ち、実際には、その硬質ホワイトボードをプロッターに対して動かす）、また同じ方法でイレーサーを支えて動かしプレゼンテーション面に画像を付与したり、そこから画像を消したりする。
【０１４２】
更に、従プレゼンテーション装置と主プレゼンテーション装置は双方とも、常設の壁掛け、移動に便利なキャスター有り又は無しのイーゼル型の支持構造（図２４、図２６及び図２７参照）、天井取り付け、パーティションに装置を固定した構造などを含むどんな方法でも支持できる。
【０１４３】
ここで記載したシステムは従装置を二つだけ備えているが、当然、システムによって三つ以上の従装置を備えることができる。また、システムによっては、２以上のタイプの従装置を備えることもできる。例えば、再度図１１及び図１２を参照すると、装置２３２の様なプリンタ型従装置を図１２のシステム２５１に追加して、プリンタ２３２及び平面パネル装置２５２ａと２５２ｂを備えるシステムとすることができる。他の従装置を組み合わせることも考えられる。
【０１４４】
少なくとも場合によっては、画像をどの装置でも編集でき、またどの装置からでも切り替えでき又はどの装置にも読み出しできるように、システム装置（例えば主装置と従装置）の全てが同一の構成及び機能を有するようにしても良い。従って例えば、主装置２８と同様の３つの装置がシステムを構成する場合、オペレータは装置間を移動して編集、切り替え、及び読み出しを強化したコラボレート方法で行える。
【０１４５】
また、唯一つのレール４０構成を上述したが、他のフック−フックタイプのレール、主従装置に取り付けた車輪を受けるレール、端にだけ取り付け可能なレール（例えば上方又は前方動作による取り付け装置の移動を制限するレール−これは装置が比較的高価な場合にとりわけ重要である）、及び装置がレール部材４０に装置をより効率的に取り付ける固定構造を有する他のシステムを含む様々な異なるタイプのレール構成が考えられる。
【０１４６】
図２８に示したように、上記の構成要素に加えて、本発明に係るシステムの何れも標準サイズのプリンタ／スキャナー（例えば８．５インチ×１１インチ、規格サイズなど）を備え、ミーティング参加者がミーティング中に使用する為、又はミーティングから持って帰る為に表示画像のコピーを印刷するようにでき、或いはシステムによって見たり編集したりするため文章を素早くスキャンするようにできる。
【０１４７】
更に図１及び図２２を参照すると、少なくとも場合によっては、主従装置２８、２２ａ、２２ｂの一つ又は全てを、ラップトップコンピュータ又はパーソナルコンピュータを使って主従装置及びそこに表示の画像を制御するプレゼンターから遠隔した位置７９８に配置できる。ここで例えば、シカゴにいるプレゼンターが装置８００のディスプレーによってシカゴでマークを付けると、そのマークは即座にニューヨークの会議室に置かれた主装置２８（再度図１を参照）に与えられる。ここで、ユーザが主画像を第１の従装置２２ａに切り替えるように指示すると、ニューヨークにあるその画像はニューヨークにある第１の従装置２２ａへ切り替えられる。同様に、シカゴでコマンドを入力することで、ニューヨークに置かれた従装置からの画像を主装置２８に編集するため読み出すことができる。上記の場合に図２２を参照すると、ニューヨークをベースにプレゼンテーションを実施するため、遠隔制御装置２００（再度図１０ａを参照）がネットワークリンク８１０（例えばインターネット）を介して主装置２８と通信する。
【０１４８】
場合によっては、装置８００が主従装置画像のそれぞれの表示を含み、プレゼンターに遠隔プレゼンテーションの状況を確保させるようにしても良い。このために、図２２のディスプレー８１２は主装置画像ボックス８１４並びに第１及び第２の従装置画像のサムネイル画像８１６と８１８を有している。この場合、切り替えや読み出しをするには、単に画像を一のボックス又は一の画像から他へドラッキングするだけで良い。例えば第１の従装置２２ａへ切り替えるには、プレゼンターは単にボックス８１４の主画像をサムネイル８１６へドラッグするだけで良い。同様に、第２の従装置の画像を読み出すには、ユーザは単に第２の従装置のサムネイル８１８を主ボックス８１４へドラッグするだけで良い。また、この特徴は主従装置を部分的に制御する装置８００とからめて（即ち、同じ空間にあるプレゼンテーション装置としての装置８００とともに）使用することもできる。
【０１４９】
ある場合には、主装置２８と従装置２２ａ、２２ｂの一部がシカゴに配置され、一以上の従装置がニューヨークに遠隔配置されても良い。ここでプレゼンターは、上述したのと同じ方法でその異なる従装置への切り替え処理を制御できる。
【０１５０】
更に再度図２４を参照すると、少なくとも幾つかの場合では、主従装置を指定する携帯型インタフェースデバイス７３１があっても良い。このために、主従装置となる可能性のある装置を認定するため無線で装置７０２、７０４、７０６、７０８、７１０及び７１２をポーリングし、ディスプレー７３３に選択可能アイコンを設けるようにデバイス７３１をプログラムすると良い。ここで、いったん主装置及び従装置の一部が選択されると、デバイス７３１は指定情報を対応する装置７０２、７０４等に送信し、主装置の画像を切り替え／主装置に画像を読み出しすることを進めるために適切な環境設定を行う。環境設定のあと、制御インタフェースツールが主装置又はデバイス７３１もしくはその双方によって与えられる。
【０１５１】
更に図２４のシステムを無線通信する状況として記載したが、場合によって配線接続による通信としても良い。
【０１５２】
更に、図２４から図２７に関して上述した環境設定支援処理はロールを下げるタイプ（ロールダウン型）の装置又はプロジェクション型装置など他のタイプのプレゼンテーション装置に利用でき、また、図２５の全てのステップが必要というわけではない。例えば、主装置を予め定めておく、或いは他のタイプの装置とともに使用する場合には必ずあるタイプの装置を主装置とするようにしても良い。例えば、一の装置が電子平面パネルタッチ画面であり、その他の装置がロールダウン型の装置の場合には、そのタッチ画面装置を必ず主装置とし、稼働中会議場内にある他の装置をポーリングする。
【図面の簡単な説明】
【０１５３】
【図１】主プレゼンテーション装置並びに第１及び第２の従プレゼンテーション装置を備える本発明の一の実施形態にかかる典型的なフリップチャートに類似のシステムの斜視図である。
【図２】図１の主プレゼンテーション装置の拡大斜視図である。
【図３】図２の主プレゼンテーション装置の概略部分断面図である。
【図４】図１の従プレゼンテーション装置の斜視図である。
【図５】図４の従プレゼンテーション装置の概略部分断面図である。
【図６】図１の主プレゼンテーション装置とともに使用する従プレゼンテーション装置の第２の実施形態の斜視図である。
【図７】図５に類似の図であるが、典型的な従プレゼンテーションの他のデザインを示す図である。
【図８】図７に類似の図であるが、一つの付加的な従プレゼンテーション装置を示す図である。
【図９】図７に類似の図であるが、更にもう一つの従プレゼンテーション装置の実施形態を示す図である。
【図１０ａ】図１に示した携帯型インタフェース装置の斜視図である。
【図１０ｂ】図１０ａのインタフェースの一実施形態を構成する構成要素の概略図である。
【図１１】図１に類似の図であるが、異なるタイプの従プレゼンテーションを有するシステムを示す図である。
【図１２】図１と類似の図であるが、平面パネルディスプレーを有する従プレゼンテーション装置を示す図である。
【図１３】図１から図１２に示したシステムの何れか一つで使用できる本発明の一の特徴にかかる切り替え方法を示すフリップチャートである。
【図１４】画像を従装置から読み出し該画像を主装置に再表示するため、図１３に示した方法の一部と入れ替えることの可能なサブ工程である。
【図１５】画像を主装置から従装置へ切り替える方法、及び、その後該従装置を一意的に識別可能な従装置から画像を読み出す方法である。
【図１６】主プレゼンテーション装置及び従プレゼンテーション装置に現在表示された画像を速やかに記録し、その後、画像が記録される前に表示されていたのと同じ装置に再アクセスし再表示する方法を示すフローチャートである。
【図１７】図２と類似の図であるが、異なる制御ボタンを有する主装置を示す図である。
【図１８】面領域を複数のプレゼンテーション面に分割して、フリップチャート作業にまねて使用できる単一のプレゼンテーション装置を含む本発明の特定の特徴にかかるシステムの平面図である。
【図１９】図１８と類似のものであるが、表示画像を異なる方法で管理する異なるシステムを示す図である。
【図２０】３つのプロジェクターと対応するプロジェクション画面／アセンブリを備える本発明の別の実施形態の斜視図である。
【図２１】主装置がイーゼルアセンブリの形であり、従装置が壁取り付け型である更に別の実施形態を示す図である。
【図２２】インタフェース装置が、遠く離れて配置された主及び従装置を用いてプレゼンテーションを遠隔制御するのに使用されるシステムを概略的に示す図である。
【図２３】１つの主画像と２つの切り替え画像を投写する単一のプロジェクターを備える典型的な更にもう一つの発明に係るシステムを示す概略図である。
【図２４】ディスプレーの一つが主ディスプレーと選択でき、その他又はその他一部が従ディスプレーと使用される複数の移動可能な平面パネルディスプレーを備える別の典型的なシステムを示す概略図である。
【図２５】本発明の少なくとも幾つかの特徴にかかる他の方法を示すフローチャートである。
【図２６】図２４に類似の図であるが、移動可能な装置の一つを主装置と選択した後のシステムを示す図である。
【図２７】図２６に類似の図であるが、従装置が選択された後のシステムを示す図である。
【図２８】単一の移動可能な平面パネルディスプレー装置及び複数の切り替え画像を投写するプロジェクターを備える別の実施形態を示す図である。
【図２９】ワイドエリアネットワークによりつながれた図２８の構成と同様の２つのサブシステムを備えるシステムの概略図である。
【図３０】平面パネルディスプレーが縦長方向と横長方向の間で回転できるように取り付けられ、ここでは縦長方向のディスプレーを示す図２８に示したのと同様のシステムの概略図である。
【図３１】図３０に類似の図であるが、ディスプレーが横長方向にあるシステムを示す図である。
【符号の説明】
【０１５４】
１０、２３０、４７０、５２０、６００、７００、８００、８９０、９５０    システム
１１    会議室
２０、３４ａ、１３０、２１１、２４０、２５４ａ、８３６    送受信機
２２ａ、２２ｂ、２３２、２５２ａ、２５２ｂ、６０４、６０６、６０８    従装置（従プレゼンテーション装置）
２８、５２８、６１０    主装置（主プレゼンテーション装置）
３０、２０９    キーボード
３８ａ、１８１、５２４、９０７    プレゼンテーション画面
４０、６０２    レール
４８、２０４、４７４、７１４、８０２、８３８、９５３、９５５    ディスプレー（ディスプレー画面、画面）
４８ａ、１８３、４７６、４７８、４８０、６１２、６２２、６２４、６２６    プレゼンテーション面
５６    レジュームキー
５８    センドキー
６０    ストアキー
６２    読み出しキー
６７、２１４    キーパッド
６８、７０    センドアイコン（切り替えアイコン）
７２、７４、１０２、１０４    フック又は取り付け部材
８０、１１０、２０３、３３６、８１０    プロセッサ
８８、１１９、２０７    メモリ
１１２、３３８    モーター（モチベータ）
１１６、３４０    プリンタ
１１８    イレーサー
２００    インタフェース装置（ＨＨＤ）
２０２    タッチペン
２１２    Ｅｎｔｅｒキー
２２２    左矢印キー
２２３    右向き矢印キー
２２６    左向き矢印キー
２２８    右矢印キー
２７０    方法
３４２    大型の巻紙
４５０    サムネイル・スケッチバー
４７１、５５８、５６０、５６２、８０４、８０６、９６４、９６６    プロジェクター装置（プロジェクター）
４７３    センサアセンブリ
４７６、４７８、４８０、９５６、９５８、９６０、９６２    隣接領域
４８２、４８４、４８６、４８８    タッチセンシティブ指向矢印アイコン
５３０、９０２、９０７    主プレゼンテーション領域（主領域）
５３６、９５４    制御アイコン
６１４    内部領域
６１６    棚部材
６１８、７１８    キャスター
７０２、７０４、７０６、７０８、７１０、７１２、８０８、９５１  移動可能なプレゼンテーション装置
７１６    スタンド
７３１    携帯型インタフェースデバイス
７５０    マスターラベル
７５２、７５４、７５６、７５８、７６０  ラベル
７６９    切り替え矢印アイコン
７７１    読み出し矢印アイコン
７７４    Ｅｎｔｅｒアイコン
７８８    終了アイコン
８０４、８０６    ビデオ型プロジェクター
８１２    ローカルエリアネットワーク（ＬＡＮ）
８１４    無線アクセスポイント
８１６    スキャナー／プリンタ
８１８    ＤＶＤ／ＶＣＲ
８４０    読み出しアイコン
８５０    センド又は切り替えアイコン
８４２、８４４、８４６、８４８    領域選択アイコン
８７０    印刷アイコン
９００、９０１    サブシステム
９０４、９０６、９８０、９８２    従プレゼンテーション領域（従領域）
９２０    ワイドエリアネットワーク
【図１】
2007535696.tif 000003
【図２】
2007535696.tif 000004
【図３】
2007535696.tif 000005
【図４】
2007535696.tif 000006
【図５】
2007535696.tif 000007
【図６】
2007535696.tif 000008
【図７】
2007535696.tif 000009
【図８】
2007535696.tif 000010
【図９】
2007535696.tif 000011
【図１０ａ】
2007535696.tif 000012
【図１０ｂ】
2007535696.tif 000013
【図１１】
2007535696.tif 000014
【図１２】
2007535696.tif 000015
【図１３】
2007535696.tif 000016
【図１４】
2007535696.tif 000017
【図１５】
2007535696.tif 000018
【図１６】
2007535696.tif 000019
【図１７】
2007535696.tif 000020
【図１８】
2007535696.tif 000021
【図１９】
2007535696.tif 000022
【図２０】
2007535696.tif 000023
【図２１】
2007535696.tif 000024
【図２２】
2007535696.tif 000025
【図２３】
2007535696.tif 000026
【図２４】
2007535696.tif 000027
【図２５】
2007535696.tif 000028
【図２６】
2007535696.tif 000029
【図２７】
2007535696.tif 000030
【図２８】
2007535696.tif 000031
【図２９】
2007535696.tif 000032
【図３０】
2007535696.tif 000033
【図３１】
2007535696.tif 000034
【国際調査報告】
2007535696.tif 000035
2007535696.tif 000036
2007535696.tif 000037